(57)【要約】【課題】塩水および／または塩水含有溶液をＲＦエネルギーによって処理するシステムおよび方法を提供すること。【解決手段】塩水および／または塩水含有溶液をＲＦエネルギーによって処理するシステムおよび方法が提供される。例示的システムおよび方法は、ＲＦエネルギーを使用して、塩水を燃焼させ、塩水含有溶液等から水素を産生して、塩水含有溶液等に存在する二次燃料を揮発させ、塩水含有溶液等から入手した水素を産生および燃焼させ、塩水含有溶液等に存在する二次燃料源を揮発および燃焼させ、海水を脱塩し、ならびに水の電気分解を実行してもよい。【選択図】図３
2010509565.tif 000002
【特許請求の範囲】
【請求項１】
液体を燃焼させる方法であって、
ＲＦ発生器および伝送ヘッドを有するＲＦシステムを提供することであって、該ＲＦ発生器は、該伝送ヘッドを介する伝送のためのＲＦ信号を生成可能であり、該伝送されるＲＦ信号は、該伝送ヘッドに近接する開放型容器内の海水から着火性ガスを生成可能である、ことと、
水および少なくとも１つのイオンを含む液体を提供することであって、該液体は、該伝送されるＲＦ信号による着火性ガスの生成のための、該液体中に溶解した有効量の該少なくとも１つのイオンを有する、ことと、
該伝送されるＲＦ信号が該液体の少なくとも一部と相互作用するように、該液体に対して該伝送ヘッドを配置することと、
該伝送ヘッドを介して該ＲＦ信号を伝送することと、
燃焼を開始するために、該伝送されるＲＦ信号によって該液体から生成される該着火性ガスに着火することと
を含み、
該伝送されるＲＦ信号は、該液体の少なくとも一部分が燃焼するのに十分な時間の間、伝送される、方法。
【請求項２】
前記燃焼させられる液体は、前記伝送されるＲＦ信号による着火性ガスの生成のための、前記水中に溶解した有効量の前記少なくとも１つのイオンを既に有する地下水を含む、請求項１に記載の液体を燃焼させる方法。
【請求項３】
前記燃焼させられる液体は、前記伝送されるＲＦ信号による着火性ガスの生成のための、前記水中に溶解した有効量の前記少なくとも１つのイオンを既に有する未処理の地下水から本質的に成る、請求項１〜２のいずれかに記載の液体を燃焼させる方法。
【請求項４】
前記燃焼させられる液体は、一定量の前記少なくとも１つのイオンが該液体に添加された地下水を含み、その結果生じた処理された地下水が、前記伝送されるＲＦ信号と反応して、着火性ガスを生成する、請求項１〜３のいずれかに記載の液体を燃焼させる方法。
【請求項５】
前記添加された少なくとも１つのイオンは、前記伝送されるＲＦ信号を使用して既に燃焼された液体から提供される、請求項４に記載の液体を燃焼させる方法。
【請求項６】
前記着火性ガスを着火する前記ステップは、該着火性ガスの自然着火を含む、請求項１〜５のいずれかに記載の液体を燃焼させる方法。
【請求項７】
前記伝送されるＲＦ信号は、液体の容積が少なくとも４分の１だけ減少するのに十分な時間の間、伝送される、請求項１〜６のいずれかに記載の液体を燃焼させる方法。
【請求項８】
前記伝送されるＲＦ信号は、液体の容積が少なくとも半分だけ減少するのに十分な時間の間、伝送される、請求項１〜７のいずれかに記載の液体を燃焼させる方法。
【請求項９】
前記提供するステップは、前記液体の少なくとも一部分の燃焼のために、前記伝送されるＲＦ信号によって該液体を噴霧することを含む、請求項１〜８のいずれかに記載の液体を燃焼させる方法。
【請求項１０】
前記ＲＦ発生器によって生成される前記ＲＦ信号は、約１３．５６ＭＨｚの周波数を有する、請求項１〜９のいずれかに記載の液体を燃焼させる方法。
【請求項１１】
塩水を処理するための装置であって、
ａ．伝送ヘッドと回路的に連絡しているＲＦ結合回路であって、該ＲＦ結合回路は、該伝送ヘッドを介して伝送されるＲＦ信号を伝送するために、入力６００ワットのＲＦ信号を結合可能であり、該伝送されるＲＦ信号は、該伝送ヘッドに近接する開放型容器内の海水から着火性ガスを生成可能である、ＲＦ結合回路と、
ｂ．少なくとも該ＲＦ結合回路を包囲する密閉型ハウジングと
を備える、装置。
【請求項１２】
前記伝送されるＲＦ信号は、電流および電圧を含み、該電流と電圧とは、相互に位相が異なる、請求項１１に記載の装置。
【請求項１３】
塩水を処理するためのシステムであって、
ａ．伝送ヘッドと回路的に連絡しているＲＦ発生器を有するＲＦ伝送器であって、該ＲＦ発生器は、該伝送ヘッドを介する伝送のためのＲＦ信号を生成可能であり、該伝送されるＲＦ信号は、該伝送ヘッドに近接する開放型容器内の海水から着火性ガスを生成可能である、ＲＦ伝送器と、
ｂ．水および塩を含む塩水溶液を収容するための容器であって、該塩水溶液は、該伝送されるＲＦ信号による変換のために、該水中に溶解した有効量の塩を有する、容器と、
を備え、
該容器は、該塩水溶液の少なくとも一部分を、該ＲＦ伝送ヘッドに対する位置に供給するように構成され、該容器から供給される該塩水溶液の一部が、該ＲＦ伝送ヘッドからの該伝送されるＲＦ信号と相互作用する、システム。
【請求項１４】
前記伝送されるＲＦ信号は、電流および電圧を含み、該電流と電圧とは、相互に位相が異なる、請求項１３に記載の塩水を処理するためのシステム。
【請求項１５】
前記塩水溶液は、天然の海水を含む、請求項１３〜１４のいずれかに記載の塩水を処理するためのシステム。
【請求項１６】
前記塩水溶液は、水と、前記伝送されるＲＦ信号による該塩水溶液の変換のための有効量のナトリウムとを組み合わせることにより作製される溶液を含む、請求項１３〜１５のいずれかに記載の塩水を処理するためのシステム。
【請求項１７】
前記伝送されるＲＦ信号による変換は、該伝送されるＲＦ信号による前記塩水溶液からの着火性ガスの生成を含む、請求項１３〜１６のいずれかに記載の塩水を処理するためのシステム。
【請求項１８】
前記伝送ヘッドからの前記伝送されるＲＦ信号の少なくとも一部分を受信するためのＲＦ受信ヘッドをさらに備える、請求項１３〜１７のいずれかに記載の塩水を処理するためのシステム。
【請求項１９】
前記ＲＦ伝送器は、前記塩水溶液を通って前記伝送されるＲＦ信号を結合するために、前記伝送ヘッドを介して伝送される該ＲＦ信号を同調するためのＲＦ同調回路をさらに備える、請求項１３〜１８のいずれかに記載の塩水を処理するためのシステム。
【請求項２０】
前記伝送ヘッドから前記ＲＦ信号の少なくとも一部分を受信するためのＲＦ受信ヘッドをさらに備え、前記ＲＦ伝送器は、前記塩水溶液を通って伝送される該ＲＦ信号を結合するために、該伝送ヘッドを介して伝送された該ＲＦ信号を同調するためのＲＦ同調回路をさらに備える、請求項１３〜１９のいずれかに記載の塩水を処理するためのシステム。
【請求項２１】
前記ＲＦ同調回路は、前記ＲＦ発生器と前記ＲＦ伝送ヘッドとの間を回路的に連絡している同調可能なパイネットワークを備える、請求項１９に記載の塩水を処理するためのシステム。
【請求項２２】
前記ＲＦ同調回路は、前記ＲＦ発生器と前記ＲＦ伝送ヘッドとの間を回路的に連絡している同調可能なパイネットワークを備える、請求項２０に記載の塩水を処理するためのシステム。
【請求項２３】
塩水を処理するためのシステムであって、
ａ．伝送ヘッドと回路的に連絡しているＲＦ発生器を有するＲＦ伝送器であって、該ＲＦ発生器は、該伝送ヘッドを介する伝送のためのＲＦ信号を生成可能であり、該伝送されるＲＦ信号は、該伝送ヘッドに近接する開放型容器内の海水から着火性ガスを生成可能である、ＲＦ伝送器と、
ｂ．水および塩を含む溶液を収容するための容器であって、該塩水溶液は、該水中に溶解した有効量の塩を有する、容器と、
ｃ．ＲＦ受信器と
を備え、
該容器は、該ＲＦ伝送ヘッドと該ＲＦ受信器との間の位置に、該塩水溶液の少なくとも一部分を供給するように構成される、システム。
【請求項２４】
前記ＲＦ伝送ヘッドと前記ＲＦ受信器との間に、前記塩水溶液の少なくとも一部分を配置するように構成される反応室を備える、請求項２３に記載のシステム。
【請求項２５】
前記容器は、前記ＲＦ伝送ヘッドと前記ＲＦ受信器との間に配置される、請求項２３〜２４のいずれかに記載のシステム。
【請求項２６】
前記塩水溶液は、
ａ．少なくとも１つの添加剤、または
ｂ．少なくとも１つの二次燃料、または
ｃ．その両方の混合液、
をさらに含む、請求項２３〜２５のいずれかに記載のシステム。
【請求項２７】
前記添加剤は、界面活性剤である、請求項２６に記載のシステム。
【請求項２８】
前記添加剤は、水との共沸点混合物を生成することが可能である、請求項２６に記載のシステム。
【請求項２９】
前記添加剤は、水の凝固点を上昇または降下することが可能である、請求項２６に記載のシステム。
【請求項３０】
前記添加剤は、ポリマーである、請求項２６に記載のシステム。
【請求項３１】
前記二次燃料は、アルコール、アルデヒド、ケトン、カルボン酸、またはその混合液から成る群から選択される、請求項２６に記載のシステム。
【請求項３２】
前記アルコールは、メタノール、エタノール、イソプロパノール、ｎ−プロパノール、およびその混合液から選択される、請求項３１に記載のシステム。
【請求項３３】
第１の供給ライン端部において前記容器と接続される供給ラインと、
前記塩水溶液のミストが、前記ＲＦ伝送ヘッドと前記ＲＦ受信器との間に供給されるようにする、第２の供給ライン端部と動作可能に接続される噴射ノズルと
をさらに備える、請求項２３〜３２のいずれかに記載のシステム。
【請求項３４】
前記塩は、海塩である、請求項２３〜３３のいずれかに記載のシステム。
【請求項３５】
前記塩水混合液は、海水を含む、請求項２３〜３４のいずれかに記載のシステム。
【請求項３６】
前記塩は、陽イオンおよび陰イオンを含み、該陽イオンは、Ｌｉ＋、Ｎａ＋、Ｋ＋、Ｒｂ＋、Ｃｓ＋、Ｍｇ２＋、Ｃａ２＋、Ｂａ２＋、Ｓｒ２＋、Ｍｎ２＋、Ｆｅ２＋、Ｆｅ３＋、Ｎｉ２＋、Ｃｕ２＋、Ｚｎ２＋、Ａｇ＋、Ａｕ＋、およびその混合物から成る群から選択され、該陰イオンは、Ｃｌ−、Ｂｒ−、Ｉ−、ホウ酸塩、クエン酸塩、硝酸塩、リン酸塩、硫酸塩、およびその混合物から成る群から選択される、請求項２３〜３５のいずれかに記載のシステム。
【請求項３７】
前記有効量の塩は、濃度が約１ｇ／ｃｍ３の塩水溶液を生成する量の塩である、請求項２３〜３６のいずれかに記載のシステム。
【請求項３８】
前記有効量の塩は、濃度が約１．０２ｇ／ｃｍ３から１．０３ｇ／ｃｍ３までの塩水溶液を生成する量の塩である、請求項２３〜３７のいずれかに記載のシステム。
【請求項３９】
前記有効量の塩は、濃度が約１．０２６ｇ／ｃｍ３の塩水溶液を生成する量の塩である、請求項２３〜３８のいずれかに記載のシステム。
【請求項４０】
前記反応室の中で生成される水素を回収する、該反応室に動作可能に接続される水素回収タンクを備える、請求項２４〜３９のいずれかに記載のシステム。
【請求項４１】
前記反応室は、圧力密封型管を備え、前記システムは、該圧力密封型管における圧力によって移動する駆動可能な部材を備える、請求項２４〜４０のいずれかに記載のシステム。
【請求項４２】
水を回収するための凝縮タンクを備え、該凝縮タンクは、前記反応室に動作可能に接続される、請求項２４〜４１のいずれかに記載のシステム。
【請求項４３】
酸素回収タンクと、
前記水素回収タンクと該酸素回収タンクとを前記反応室に動作可能に接続する排出ラインと
を備える、請求項２４〜４２のいずれかに記載のシステム。
【請求項４４】
前記反応室と流体的に連絡するガス透過性膜を備え、該ガス透過性膜は、第１の流速で水素ガスを通過させ、第２の流速で酸素ガスを通過させるように選択され、該第１の流速は、該第２の流速よりも大きい、請求項２４〜４３のいずれかに記載のシステム。
【請求項４５】
前記ＲＦ伝送ヘッド、ＲＦ受信器、および該ＲＦ伝送ヘッドと該ＲＦ受信器との間の塩水の部分は、該伝送ヘッドからの前記ＲＦ信号が、高−Ｑ回路を介して前記塩水溶液に接続されるように配置される、請求項２３〜４４のいずれかに記載のシステム。
【請求項４６】
前記伝送されるＲＦ信号は、高−Ｑ共振回路を介して前記塩水溶液に接続される、請求項２３〜４５のいずれかに記載のシステム。
【請求項４７】
前記ＲＦ発生器は、約１３．５６ＭＨｚの周波数を有するＲＦ信号を発生するように構成される、請求項２３〜４６のいずれかに記載のシステム。
【請求項４８】
塩水を処理するための方法であって、
水および少なくとも１つの塩を含む塩水溶液を提供することであって、該塩水溶液は、該水の中に溶解した有効量の該塩を有する、ことと、
伝送ヘッドと回路的に連絡しているＲＦ発生器を有するＲＦ伝送器を提供することであって、該ＲＦ発生器は、該塩水溶液によって少なくとも部分的に吸収可能であるＲＦ信号を生成可能であり、該塩水溶液は、該伝送ヘッドを介する伝送のための少なくとも１つの周波数を有する、ことと、
該伝送ヘッドを介して伝送される該ＲＦ信号が、該塩水溶液の少なくとも一部と相互作用するように、該塩水溶液の近傍に該伝送ヘッドを配置することと、
該伝送ヘッドを介して該ＲＦ信号を伝送することと
を含み、
該伝送されるＲＦ信号は、該塩水の少なくとも一部分を変換するのに十分な時間の間、伝送される、方法。
【請求項４９】
ａ．少なくとも１つの添加剤、または
ｂ．少なくとも１つの二次燃料、または
ｃ．その両方の混合液、
のうちの１つ以上を前記塩水溶液に添加することを含む、請求項４８に記載の方法であって、
前記伝送されるＲＦ信号は、（ｉ）該塩水溶液を分解して水素ガスを産生すること、または（ｉｉ）該塩水溶液を加熱して該二次燃料を揮発させること、または（ｉｉｉ）その両方、に十分な時間の間、伝送され、
該伝送されるＲＦ信号は、該水素ガス、該揮発した二次燃料、またはその両方のうちの少なくとも１つを燃焼させる時間の間、伝送される、方法。
【請求項５０】
前記塩水溶液を提供するステップは、前記ＲＦ伝送ヘッドと前記ＲＦ受信器との間に塩水溶液のミストを噴霧することによって実行される、請求項４８〜４９のいずれかに記載の方法。
【請求項５１】
少なくとも１つのＲＦ吸収促進剤を前記塩水溶液に添加するステップを含む、請求項４８〜５０のいずれかに記載の方法。
【請求項５２】
前記塩水溶液の前記燃焼によって産生される水素ガスを回収するステップを含む、請求項４８〜５１のいずれかに記載の方法。
【請求項５３】
前記伝送されるＲＦ信号が作用させられる前記塩水溶液は、閉鎖型反応室によって囲まれる、請求項４８〜５２のいずれかに記載の方法。
【請求項５４】
前記閉鎖型反応室は、圧力密閉型であり、前記方法は、塩水溶液の前記燃焼によって該反応室内に生成された圧力によって、駆動可能な部材を移動させるステップを含む、請求項５３に記載の方法。
【請求項５５】
前記伝送されるＲＦ信号を伝送する前記ステップは、前記塩水溶液を煮沸するのに十分な時間の間、実行され、前記方法は、脱塩された水を生成するために蒸気を凝縮するステップを含む、請求項５３に記載の方法。
【請求項５６】
前記伝送されるＲＦ信号を前記伝送するステップは、水素ガスおよび酸素ガスを産生するために前記塩水溶液を分解するのに十分な時間の間、実行される、請求項５３に記載の方法。
【請求項５７】
前記水素ガスおよび酸素ガスをガス透過性膜に通過させるステップを含み、該ガス透過性膜は、該酸素ガスよりも大きい流速で該水素ガスを通過させるように選択される、請求項５６に記載の方法。
【請求項５８】
液体を燃焼させる方法であって、
ＲＦ発生器および伝送ヘッドを有するＲＦシステムを提供することであって、該ＲＦ発生器は、該伝送ヘッドを介する伝送のためのＲＦ信号を生成可能であり、該伝送されるＲＦ信号は、該伝送ヘッドに近接する開放型容器内の海水から着火性ガスを生成可能である、ことと、
水および少なくとも１つのイオンを含む液体を提供することであって、該液体は、該伝送されるＲＦ信号による着火性ガスの生成のための、該液体の中に溶解した有効量の該少なくとも１つのイオンを有する、ことと、
該伝送ヘッドを介して該ＲＦ信号を伝送することと、
該液体の少なくとも一部分を燃焼させることと
を含む、方法。
【請求項５９】
前記燃焼させられる液体は、ある量の前記少なくとも１つのイオンが添加された炭化水素を含むことにより、結果として処理される該炭化水素は、前記伝送されるＲＦ信号と反応して、該処理される炭化水素の燃焼速度を有意に増加させる、請求項５８に記載の液体を燃焼させる方法。
【請求項６０】
前記液体を提供するステップは、前記炭化水素を提供することと、前記少なくとも１つのイオンの水溶液のある量を該炭化水素に添加することとを含むことにより、結果として処理される該炭化水素が、前記伝送されるＲＦ信号と反応して、該処理されり炭化水素の燃焼速度を有意に増加させる、請求項５９に記載の液体を燃焼させる方法。
【請求項６１】
前記燃焼させられる液体は、地下水を含んでおり、前記ＲＦシステムの少なくとも一部分は、密閉型エンクロージャに収容され、前記液体を提供するステップは、地中の地下水を燃焼させるために、該密閉型エンクロージャを地中の開口部の中に降下させて、静止している地下水に近接して前記ＲＦ伝送ヘッドを配置することを含む、請求項５８に記載の液体を燃焼させる方法。
【請求項６２】
化合物を処理する方法であって、
ＲＦ発生器および伝送ヘッドを有するＲＦシステムを提供することであって、該ＲＦ発生器は、該伝送ヘッドを介して伝送するためのＲＦ信号を生成可能であり、該伝送されるＲＦ信号は、該伝送ヘッドに近接する開放型容器内の海水から着火性ガスを生成可能である、ことと、
該化合物に近接して該伝送ヘッドを配置することと、
該伝送ヘッドを介して該ＲＦ信号を伝送することと
を含み、
該信号が該化合物内の汚染物質に作用するのに十分な時間の長さの間、該ＲＦ信号は伝送される、方法。
【請求項６３】
前記化合物は、土壌または粘土である、請求項６２に記載の化合物を処理する方法。
【請求項６４】
前記土壌または粘土の中の不要な有機物を加熱するのに十分な時間の長さの間、前記ＲＦ信号が伝送される、請求項６２〜６３のいずれかに記載の化合物を処理する方法。
【請求項６５】
前記土壌または粘土の中の炭化水素汚染物を揮発させるのに十分な時間の長さの間、前記ＲＦ信号が伝送される、請求項６２〜６４のいずれかに記載の化合物を処理する方法。
【請求項６６】
前記化合物は、不要な微生物、細菌、またはウイルスを含み、該不要な微生物、細菌、またはウイルスを破滅させるのに十分な時間の長さの間、前記ＲＦ信号は伝送される、請求項６２〜６５のいずれかに記載の化合物を処理する方法。
【請求項６７】
前記ＲＦ信号によるＲＦ処理を促進するために、有効量の少なくとも１つのイオンを前記化合物に添加するステップをさらに含む、請求項６２〜６６のいずれかに記載の化合物を処理する方法。
【請求項６８】
前記処理は、前記ＲＦ信号による前記化合物の汚染除去を含む、請求項６２〜６７のいずれかに記載の化合物を処理する方法。
【請求項６９】
前記ＲＦ信号による汚染除去を促進するために、有効量の少なくとも１つのイオンを前記化合物に添加するステップをさらに含む、請求項６２〜６８のいずれかに記載の化合物を処理する方法。
【請求項７０】
前記ＲＦ信号による前記化合物の汚染除去を促進するために、有効量のナトリウムを添加するステップをさらに含む、請求項６２〜６９のいずれかに記載の化合物を処理する方法。
【発明の詳細な説明】
【技術分野】
【０００１】
（関連出願）
本願は、「ＲＦ  ＳＹＳＴＥＭ  ＡＮＤ  ＭＥＴＨＯＤＳ  ＦＯＲ  ＰＲＯＣＥＳＳＩＮＧ  ＳＡＬＴ  ＷＡＴＥＲ」と題された２００６年１１月１３日に出願された米国仮特許出願第６０／８６５，５３０号（代理人整理番号３００６４／０４００４）（「‘５３０」出願）；「ＳＹＳＴＥＭ  ＡＮＤ  ＭＥＴＨＯＤＳ  ＦＯＲ  ＰＲＯＣＥＳＳＩＮＧ  ＳＡＬＴ  ＷＡＴＥＲ  ＩＩ」と題された２００７年５月１７日に出願された米国仮特許出願第６０／９３８，６１３号（代理人整理番号３００６４／０４００８）（「‘６１３」出願）；「ＲＦ  ＳＹＳＴＥＭ  ＡＮＤ  ＭＥＴＨＯＤＳ  ＦＯＲ  ＰＲＯＣＥＳＳＩＮＧ  ＳＡＬＴ  ＷＡＴＥＲ  ＩＩＩ」と題された２００７年８月３日に出願された米国仮特許出願第６０／９５３，８２９号（代理人整理番号３００６４／０４００９）；および「ＦＩＥＬＤ  ＧＥＮＥＲＡＴＯＲ  ＦＯＲ  ＴＡＲＧＥＴＥＤ  ＣＥＬＬ  ＡＢＬＡＴＩＯＮ」と題された２００７年５月１日に出願された米国仮特許出願第６０／９１５，３４５号（代理人整理番号３０２７４／０４０３６）の優先権ならびに他のあらゆる利益を主張し、これらの米国仮特許出願の開示は、すべての補遺、図表、図面、および写真を含めて、その全体が本明細書中に参考として援用される。
【０００２】
（発明の分野）
本発明は、例えば、塩水および／または塩水含有溶液の燃焼のためのＲＦシステムおよび方法、海水を脱塩するためのＲＦシステムおよび方法、海水、塩水、および／または塩水含有溶液を加熱するためのＲＦシステムおよび方法、蒸気を生成するためのＲＦシステムおよび方法、二次燃料を揮発させるためのＲＦシステムおよび方法、塩水および塩水混合液の電気分解のためＲＦシステムおよび方法、塩水および／または塩水混合物から水素を産生するためのＲＦシステムおよび方法、塩水および／または塩水含有溶液から水素を産生するためのＲＦシステムおよび方法、塩水含有溶液から産生された揮発物の燃焼のためのＲＦシステムおよび方法、ならびに／あるいは塩水および／または塩水含有溶液から産生された水素の燃焼のためのＲＦシステムおよび方法等の、無線周波数（Ｒａｄｉｏ  Ｆｒｅｑｕｅｎｃｙ：ＲＦ）エネルギーを利用して水を処理するためのシステムおよび方法に関する。
【背景技術】
【０００３】
（発明の背景）
水素ガスは可燃性であるため、特に内燃エンジンで用いられる潜在的に実行可能な燃料源である。水は、水素ガス源であることが可能であり、ガソリンの産生に使用する原油と違って、水および具体的には海水が、地球上に豊富に存在するという点において原油に勝る利点を有する。さらに、水素の焼成は、水、つまり無公害の副産物を産生する。エタノール等の多くの他の揮発性有機化合物も、例えば、可燃性であるため、これらも、内燃エンジンで用いられる潜在的に実現可能な燃料源である。同様に、エタノールは、トウモロコシ、サトウキビ、または他の農産物の発酵により合成することが可能であるため、エタノールは再生可能資源であるが、原油は再生可能資源ではないという点において原油に勝る利点を有する。
【発明の概要】
【課題を解決するための手段】
【０００４】
（要旨）
ＲＦエネルギーを使用して、塩水および／または種々の塩水含有溶液を燃焼し、塩水から水素を産生し、塩水含有溶液から揮発物を産生し、海水を脱塩し、ならびに／あるいは水の電気分解を実行するためのシステムが提示される。例示的システムは、水および塩を含む混合液である塩水を収容するための容器であって、塩水は、水中に溶解される有効量の塩を有する容器と、入口および出口を有する反応室と、容器を反応室の入口に動作可能に接続する供給ラインと、伝送ヘッドと回路的に連絡しているＲＦ発生器を有するＲＦ伝送器であって、ＲＦ発生器は、伝送ヘッドを介する伝送のための少なくとも１つの周波数を有する塩水によって少なくとも部分的に吸収可能なＲＦ信号を生成可能であるＲＦ伝送器と、反応室の少なくとも一部分が、ＲＦ伝送ヘッドおよびＲＦ受信器の間にあるように反応室が配置されるＲＦ受信器と、を備えてもよい。他の例示的システムは、水および塩の混合液である溶液を収容し、（ｉ）少なくとも１つの添加剤、または（ｉｉ）少なくとも１つの二次燃料、または（ｉｉｉ）その混合液を任意に収容する容器を備えてもよい。
【０００５】
同様に、ＲＦエネルギーを使用して、塩水および塩水含有溶液を燃焼し、海水を脱塩し、塩水および塩水含有溶液から水素を産生し、ならびに／あるいは塩水の電気分解を実行するための方法が提示される。例示的方法は、水および少なくとも１つの塩の混合液を含む塩水、または水および少なくとも１つの塩の混合液を含み、かつ（ｉ）少なくとも１つの添加剤、または（ｉｉ）少なくとも１つの二次燃料、または（ｉｉｉ）その混合液を任意に含有する塩水溶液を提供するステップであって、塩水または塩水溶液は、水中に溶解される有効量の塩を有するステップと、伝送ヘッドと回路的に連絡しているＲＦ発生器を有するＲＦ伝送器を提供するステップであって、ＲＦ発生器は、塩水または塩水含有溶液の塩水成分によって少なくとも部分的に吸収可能であり、かつ伝送ヘッドを介する伝送のための少なくとも１つの周波数を有するＲＦ信号を生成可能であるステップと、伝送ヘッドを介して伝送されるＲＦ信号が、塩水の少なくとも一部と相互作用するように、塩水または塩水含有溶液の近傍に伝送ヘッドを配置するステップと、任意に存在し得る二次燃料源を揮発および燃焼するために、塩水を燃焼するのに十分な時間または塩水含有溶液を加熱するのに十分な時間、伝送ヘッドを介してＲＦ信号を伝送するステップと、を含んでもよい。水素ガスが、ＲＦ信号によって塩水または塩水含有溶液から生成される場合、ＲＦ信号は、このように産生された水素ガスを燃焼するのに十分に伝送ヘッドを介して伝送されてもよい。
【図面の簡単な説明】
【０００６】
【図１】図１は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムに関する高レベルブロック図である。
【図２】図２は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムに関する高レベルブロック図である。
【図３】図３は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムに関する高レベルブロック図である。
【図４】図４は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムに関する高レベルブロック図である。
【図５】図５は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムに関する高レベルブロック図である。
【図６】図６は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムに関する高レベルブロック図である。
【図７】図７は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムに関する高レベルブロック図である。
【図８】図８Ａ〜Ｃは、例示的ＲＦ伝送ヘッドおよびＲＦ受信ヘッドに関する種々の図である。
【図９】図９Ａ〜Ｃは、例示的ＲＦ伝送ヘッドおよびＲＦ受信ヘッドに関する種々の図である。
【図１０】図１０は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムの例示的ＲＦ回路に関する概概略図である。
【図１１】図１１は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムの例示的ＲＦ回路に関する概概略図である。
【図１２】図１２は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムの例示的ＲＦ回路に関する概概略図である。
【図１３】図１３は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムの例示的ＲＦ結合回路に関する上面斜視図、上面／側面斜視図、側面図である。
【図１４】図１４は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムの例示的ＲＦ結合回路に関する上面斜視図、上面／側面斜視図、側面図である。
【図１５】図１５は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムの例示的ＲＦ結合回路に関する上面斜視図、上面／側面斜視図、側面図である。
【図１６】図１６は、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムの例示的ＲＦ回路に関する概概略図である。
【図１６ａ】図１６ａは、塩水または塩水含有溶液の燃焼、塩水からの蒸気の生成、塩水または塩水含有溶液からの水素の産生および回収、および海水の脱塩等の、塩水および／または塩水含有溶液のＲＦ処理のための例示的ＲＦシステムの例示的ＲＦ回路に関する概概略図である。
【図１７】図１７は、塩水および塩水含有溶液から水素ガスを産生および回収するためのＲＦ方法論の例示的実施形態に関する中レベルフローチャートである。
【図１８ａ】図１８（ａ）は、塩水から水素ガスを産生および燃焼するため、および水素ガスを産生および燃焼し、塩水含有溶液から他の揮発物を産生および燃焼するためのＲＦ方法論の例示的実施形態に関する中レベルフローチャートである。
【図１８ｂ】図１８（ｂ）は、塩水から水素ガスを産生および燃焼するため、および水素ガスを産生および燃焼し、塩水含有溶液から他の揮発物を産生および燃焼するためのＲＦ方法論の例示的実施形態に関する中レベルフローチャートである。
【図１９ａ】図１９（ａ）は、塩水から水素ガスを産生および燃焼するため、および水素ガスを産生および燃焼し、塩水含有溶液から他の揮発物を産生および燃焼し、水素ガスおよび他の揮発物の燃焼によって生成された化学エネルギーを、ピストンを動作可能な機械エネルギーに変換するためのＲＦ方法論の例示的実施形態に関する中レベルフローチャートである。
【図１９ｂ】図１９（ｂ）は、塩水から水素ガスを産生および燃焼するため、および水素ガスを産生および燃焼し、塩水含有溶液から他の揮発物を産生および燃焼し、水素ガスおよび他の揮発物の燃焼によって生成された化学エネルギーを、ピストンを動作可能な機械エネルギーに変換するためのＲＦ方法論の例示的実施形態に関する中レベルフローチャートである。
【図２０】図２０は、海水を脱塩するためのＲＦ方法論の例示的実施形態に関する中レベルフローチャートである。
【図２１】図２１は、水の電気分解を実行するためのＲＦ方法論の例示的実施形態に関する中レベルフローチャートである。
【図２２】図２２は、その上部壁が除去された例示的伝送エンクロージャおよび受信エンクロージャを示す概略図である。
【図２３】図２３は、塩水および塩水含有溶液をＲＦエネルギーで燃焼する例示的方法を示す高レベルフローチャートである。
【図２４】図２４は、地面に引き下げるために適切であり得る例示的密閉型伝送エンクロージャを示す概略図である。
【図２５】図２５は、伝送されるＲＦ信号によって、液体から生成されたガスを燃焼するためのＲＦ方法論の例示的実施形態に関する中レベルフローチャートである。
【図２６】図２６は、伝送されるＲＦ信号によって、液体から生成されたガスを燃焼するためのＲＦ方法論の例示的実施形態に関する中レベルフローチャートである。
【発明を実施するための形態】
【０００７】
（詳細な説明）
本明細書に組み込まれ、かつ本明細書の一部である添付の図面において、本発明の例示的実施形態について例証され、これらの例示的実施形態は、上述の本発明の概説と、後述の発明を実施するための最良の形態とともに、本発明の原理を例示する役割を果たす。
【０００８】
（一般的な用語）
本明細書で使用する際、「添加剤」は、種々の塩水の溶液（海水、塩水、または塩水含有溶液を含み、任意により少なくとも１つの二次燃料を含有する）との溶解性、混和性、または相溶性を有する化合物であり、さらに、ＲＦエネルギーによる刺激に対する種々の塩水の溶液の反応性をさらに変更可能である化合物である。
【０００９】
本明細書で使用する際、「回路通信」は、機器間の通信関係を示すために使用される。回路通信の例として、直接的な電気結合、光学的結合、および電磁気的結合、ならびに間接的な電気結合、光学的結合、および電磁気的結合が挙げられる。一方の機器からの信号を他方の機器が受信する場合、その信号が他の機器によって変形されているか否かにかかわらず、２つの機器は回路通信している。例えば、２つの機器は、変圧器、光遮断器、デジタル／アナログ緩衝器、アナログ積分器、他の電子回路、光ファイバ送受信器、またはさらには衛星のうちの１つ以上によって分離され、一方の機器からの信号が他方の機器に到達する場合、その信号が媒介機器によって変形されていても、回路通信している。最後の例として、相互に直接結合されていないが、両機器が第３の機器（例えば、ＣＰＵ）と相互作用可能である２つの機器（例えば、キーボードおよびメモリ）は、回路通信している。
【００１０】
本明細書で使用する際、「燃焼」は、熱および光を急速に産生する過程を示す（恐らくは、文字通りの意味の「焼成」または「酸化」の有無にかかわらず、急速な化学変化によって引き起こされる）。塩水および塩水含有溶液は、可視光、ＵＶ、ＩＲ等であり得る光の急速加熱および急速生成により、本明細書に教示する種々のシステムおよび方法の多くにおいてＲＦエネルギーに応答する。これは、文字通りの意味における「焼成」であるか否かにかかわらず、本明細書において「燃焼」と考えられる。また、本明細書における「燃焼」は、より典型的な発火性の「燃焼」を示すために使用され、つまり、熱および光を産生する急速な化学変化が発生する焼成の過程を示すために使用され、ＲＦで反応する塩水から生成される生成物の文字通りの意味の焼成を含む。例えば、水素が空気中で燃焼または焼成されると、水素は化学的に酸化して水になり、また、炎を産生し、かつ水を蒸気形態で放出するような急速反応を起こす。
【００１１】
本明細書で使用する際、「脱塩する」は、塩および他の化学物質を水から除去する過程を示すように使用される。例えば、海水の脱塩を、加熱、例えば、煮沸によって実行する場合、蒸気が産生および回収される。回収された蒸気がその後凝縮されて液体に戻ると、塩または鉱物を含まない純水が得られる。本明細書で使用する際、「電気分解」は、水をその構成元素である水素と酸素に分解するために、エネルギーを水に印加する過程を示すために使用される。エネルギーは、例えば電流の印加による電気エネルギー形態、または熱エネルギー形態のいずれかの形態で印加可能である。
【００１２】
本明細書で使用する際、「動作可能に結合される」または「動作可能に結合する」は、機能的結合（例えば、機械的結合もしくは物理的結合、または電気的結合、光学的結合、電磁気的結合、もしくは磁気的結合）が、システムの構成要素間で存在することを示すために使用される。
【００１３】
本明細書で使用する際、「塩水」は、水および塩を含む混合液を示すために使用され、塩水は、水に溶解する有効量の塩を有する。「塩水含有溶液」および「塩水溶液」は、交換可能に使用され、本明細書で使用する際、塩水を含み、かつ（ｉ）少なくとも１つの添加剤、（ｉｉ）少なくとも１つの二次燃料、または（ｉｉｉ）その両方の混合液のうちの１つ以上を任意に含有する混合液を示す。したがって、塩水含有溶液は、塩水のみを含んでもよい。本明細書で使用する際、「塩水混合液」は、本明細書に教示する種々のシステムおよび方法によって電気分解を実行する際に使用される塩水含有混合液を示すために使用される。
【００１４】
本明細書で使用する際、「二次燃料」は、揮発性になることが可能であり、かつ種々の塩水溶液（塩水、海水、または塩水含有塩水溶液を含み、および少なくとも１つの添加剤を任意に含有する）との溶解性、混和性、または相溶性を有することが可能である可燃性有機化合物を示すために使用される。本明細書で使用する際、二次燃料は、単に燃焼する物質であるだけであってもよく、このため、用語の二次燃料の使用は、１次燃料の燃焼も存在することを必ずしも必要としない。塩および塩溶液は、塩または塩溶液を燃焼せずに、二次燃料の燃焼を増加させるように使用され得る。
【００１５】
（システム）
図面および図１〜図１６Ａを参照すると、例示的システムおよびシステム構成要素に関する種々の異なる図が示される。これらのシステムおよび構成要素は、本明細書で論じられる事実上全ての種々のＲＦ吸収促進剤と、事実上全ての種々の方法とともに使用され得ると考えられる。
【００１６】
図１〜図４の例示的システムは、ＲＦ発生器１０２によって生成され、かつ伝送器ヘッド１０４により伝送されるＲＦ信号１０８を、反応室１０６を介して伝送するための伝送ヘッド１０４と回路的に連絡しているＲＦ発生器１０２を含む。反応室１０６は、特定の用途に依存して開放型または閉鎖型であってもよい。反応室は、例えば、関連のピストンを含む管またはシリンダであってもよい。
【００１７】
（図１）
図１を参照すると、塩水含有溶液１１０を反応室１０６で処理するために、ＲＦ信号１０８を使用するＲＦシステム１００に関する第１の例示的実施形態が示される。例えば、ＲＦ信号１０８は、塩水含有溶液１１０を燃焼し得る。別の例として、ＲＦ信号１０８は、さらに処理するため、例えば、蒸気回収および塩水含有溶液１１０を脱塩するための凝縮のために、塩水含有溶液１１０を加熱してもよい。さらなる別の例として、ＲＦ信号１０８は、塩水含有溶液１１０から水素を産生してもよく、または、ＲＦ信号は、塩水含有溶液を加熱してもよく、また、溶液に任意に含有され得る任意の二次燃料を揮発させてもよい。産生される水素ならびに任意に存在する任意の揮発した二次燃料は、ガスとして回収されて、種々の使用のために貯蔵されてもよく、例えば、燃料として使用するために貯蔵されてもよい。代替的に、水素もしくは任意の揮発した二次燃料またはその両方は、反応室１０６で燃焼されてもよい。例示的システム１００は、伝送ヘッド１０４と回路的に連絡しているＲＦ発生器１０２を備える。反応室１０６は、反応室１０６の少なくとも一部分が、伝送ヘッド１０４にＲＦ結合されるように配置される。例示的システム１００において、ＲＦ発生器１０２は、伝送ヘッド１０４への伝送のためにＲＦ信号を通信する。伝送ヘッド１０４によって伝送されるＲＦ信号１０８は、反応室１０６の少なくとも一部分を通過する。反応室１０６内に収容される塩水含有溶液（および、（ｉ）少なくとも１つの添加剤、（ｉｉ）少なくとも１つの二次燃料、または（ｉｉｉ）その混合液を任意に含有する溶液）１１０は、塩水含有溶液１１０（具体的には、溶液の塩水成分）が、ＲＦ信号１０８の少なくとも一部を吸収するように配置される。任意により、ＲＦ発生器１０２は、生成されたＲＦ信号の周波数および／または電力および／またはエンベロープ等を調整するように制御されてもよく、ならびに／あるいは所定の周波数および電力が伝送ヘッド１０４を介して伝送されるモードを有してもよい。さらに、任意により、ＲＦ発生器１０２は、変動振幅、パルス振幅、多重周波数等を有するＲＦ信号１０８を提供する。
【００１８】
塩水含有溶液１１０は、ＲＦ信号１０８が反応室１０６を通って移動する際にエネルギーを吸収する。塩水含有溶液１１０の塩水成分によって吸収されるエネルギーが多ければ多いほど、水分解および水素産生をもたらす範囲の温度が高くなり、塩水含有溶液１１０が二次燃料も含有する事例においては、これは、塩水の分解および水素産生に代替的または付加的に、二次燃料の揮発および燃焼をもたらし得る。さらに多くのエネルギーが塩水含有溶液１１０の塩水成分によって吸収されると、生成されている水素の燃焼が最終的に発生する。塩水含有溶液１１０によるエネルギー吸収速度は、ＲＦ信号１０８強度を増加させることによって増加可能であり、これによって、反応室１０６を通って移動するエネルギー量が増加する。エネルギー吸収の速度を増加させる他の手段は、塩水含有溶液１１０の局部に信号を集中させるステップ、または少なくとも１つの添加剤を塩水含有溶液とさらに混合するステップであって、少なくとも１つの添加剤は、塩水含有溶液１１０のエネルギー吸収速度を変更可能であり、結果的として塩水含有溶液１１０によるエネルギー吸収速度を増加させることが可能であり得る種々の化学種から適切に選択されるステップを含むがこれらに限定されない。これに関して有用と考えられる添加剤の例として、界面活性剤、水との共沸混合液を生成する化学種、および水の凝固点を変更する化学種が挙げられる。
【００１９】
（図２〜図４）
図２〜図４に示すように、例示的システムは、また、反応室１０６を介してＲＦ信号１０８を結合可能にする受信器ヘッド１１２と、関連の電流路１１４とを含んでもよい。また、システム２００、３００、４００は、溶液１１０を反応室１０６で処理するためにＲＦ信号１０８を使用してもよい。例えば、ＲＦ信号１０８は、塩水含有溶液１１０を燃焼してもよい。別の例として、ＲＦ信号１０８は、さらなる処理（例えば、塩水含有溶液１１０が塩水のみである事例においては、蒸気回収および塩水を脱塩するための凝縮、塩水含有溶液が二次燃料を含有する事例においては、二次燃料の揮発）に備えて、塩水含有溶液１１０の塩水成分を加熱してもよい。さらなる別の例として、ＲＦ信号１０８は、塩水含有溶液１１０から水素を産生してもよく、または塩水含有溶液１１０内に含有される二次燃料を揮発させてもよく、また、水素もしくは揮発した二次燃料またはその両方は、ガスとして回収されて、種々の使用のために貯蔵されてもよく、例えば、燃料として使用するために貯蔵されてもよい。代替的に、産生された水素もしくは揮発した二次燃料またはその両方は、反応室１０６において燃焼されてもよい。
【００２０】
図２を参照すると、例示的システム２００は、反応室１０６の少なくとも一部分に近接し、かつ反応室１０６のいずれかの側面に配置される伝送ヘッド１０４および受信器ヘッド１１２を有する。これにより、反応室１０６における塩水含有溶液１１０の少なくとも一部分が、伝送ヘッド１０４によって伝送されたＲＦ信号１０８に暴露可能になる。伝送ヘッド１０４によって伝送されたＲＦ信号１０８の少なくとも一部分を受信器ヘッド１１２が受信するように、ＲＦシステムの一部を同調してもよい。結果として、受信器ヘッド１１２は、伝送ヘッド１０４を介して伝送されるＲＦ信号１０８を受信する。
【００２１】
ヘッド１０４、１１２の各々または両方は、パイネットワークまたは同調可能なパイネットワーク等の関連の同調回路を含んで、スループットを増加し、反応室１０６の範囲において、およびその中に収容される塩水含有溶液塩１１０において電圧を生成してもよい。したがって、図３に示すように、伝送ヘッド１０４は、ＲＦ発生器１０２および伝送ヘッド１０４間で回路的に連絡している関連の同調回路１１６を有してもよい。付加的または代替的に、図３に示すように、電流路１１４は、接地した受信器ヘッド１１２を備えてもよい。
【００２２】
図３を参照すると、伝送ヘッド１０４および受信器ヘッド１１２は、反応室１０６との直接結合から絶縁されてもよい。伝送ヘッド１０４および受信器ヘッド１１２は、空隙１１８によって絶縁されてもよい。伝送ヘッド１０４および受信器ヘッド１１２を反応室１０６から絶縁する任意の手段について図４に示す。例示的システム４００は、例えば、ヘッド１０４、１１２および反応室１０６間のＴｅｆｌｏｎ（登録商標）等の絶縁層または絶縁材料４１０を挿入するステップを含む。他の任意の手段は、ヘッド１０４、１１２に絶縁範囲を提供するステップと、ヘッドが反応室１０６と直接結合可能にするステップとを含む。以下に、より詳細に説明される伝送ヘッド１０４および受信器ヘッド１１２は、導電性材料の１つ以上の板を含んでもよい。
【００２３】
塩水含有溶液１１０において、より高い温度を誘起する１つの任意の方法は、伝送ヘッド１０４よりも大きい受信器ヘッド１１２を使用するステップを含む（ヘッドが小さいと、ＲＦを集中させてＲＦ加熱を促進すると、以前は考えられていたが、受信ヘッドが大きいと、おそらく、以下により詳細に説明される高Ｑ共振回路の使用によって、より高い温度を生成することが発見された）。例えば、単一の６インチの円形銅板をＴｘ側に使用してもよく、単一の四角形の９．５インチの銅板をＲｘ側に使用してもよい。任意により、ＲＦ吸収促進剤を塩水含有溶液１１０に添加してもよい。ＲＦ吸収促進剤は、塩水含有溶液の塩水成分が吸収し得るさらなるエネルギーを塩水含有溶液１１０が吸収する傾向を増加させる任意の手段または方法である。適切なＲＦ吸収促進剤には、例えば、金属等、例えば、鉄の導電性材料の懸濁粒子、金属、例えば、鉄および他の金属の種々の組み合わせ、または磁性粒子が含まれる。多くの種類のＲＦ吸収促進剤については、以下にさらに詳細に論じる。
【００２４】
ＲＦ発生器１０２は、任意の適切なＲＦ信号発生器であってもよく、本明細書において論じられるＲＦ周波数または周波数帯域のうちの任意の１つ以上において、ＲＦ信号を生成する。ＲＦ発生器１０２によって生成され、かつ伝送ヘッド１０４によって伝送されるＲＦ信号１０８は、ＨＦ帯域もしくはＶＨＦ帯域における基本周波数を有してもよく、または、いくつかの他の基本周波数におけるＲＦ信号を有してもよい。ＲＦ信号１０８は、１〜２ＭＨｚ、および／または２〜３ＭＨｚ、および／または３〜４ＭＨｚ、および／または４〜５ＭＨｚ、および／または５〜６ＭＨｚ、および／または６〜７ＭＨｚ、および／または７〜８ＭＨｚ、および／または８〜９ＭＨｚ、および／または９〜１０ＭＨｚ、および／または１０〜１１ＭＨｚ、および／または１１〜１２ＭＨｚ、または１２〜１３ＭＨｚ、または１３〜１４ＭＨｚ、または１４〜１５ＭＨｚの帯域における１つ以上の基本周波数を有する信号であってもよい。ＲＦ信号１０８は、１３．５６ＭＨｚにおいて基本周波数を有してもよい。ＲＦ発生器１０２は、ＥＮＩモデル番号ＯＥＭ−１２Ｂ（部品番号ＯＥＭ−１２Ｂ−０７）ＲＦ発生器であってもよく、これは、米国特許第５，３２３，３２９号により示され、エッチングシステム用の１３．５６ＭＨｚのＲＦ信号の生成に使用されることで知られている。とりわけ、ＥＮＩ  ＯＥＭ−１２Ｂ  ＲＦ発生器は、高電力（０〜１２５０ワット）のＲＦ信号に切り替えるためにＲＦ電源オン／オフスイッチを有し、生成された信号の電力を調整するためのＲＦ電力出力調整を有し、生成されるＲＦ信号の電力を測定するために、順方向または逆方向の電力計測を選択するように切り替え可能であるＲＦ電力計を有する。逆方向モードの電力計測器は、上に説明するように、同調回路の任意の可変構成要素を調整することによって、電力計に最低電力が反映されるまで（最低ＶＳＷＲ）、同調回路を較正するために使用可能である。ＥＮＩ  ＯＥＭ−１２Ｂ  ＲＦ発生器は、Ｔｈｅｒｍｏ  Ｎｅｓｌａｂ  Ｍｅｒｌｉｎ  Ｓｅｒｉｅｓ  Ｍ３３循環処理冷却器によって冷却されてもよい。１３．５６ＭＨｚにおいて、約８００〜１０００ワットの電力を有するＥＮＩ  ＯＥＭ−１２Ｂ  ＲＦ発生器のＲＦ信号は、塩水を燃焼する。代替的に、ＲＦ発生器は、商業用伝送器であってもよく、例えば、ＹＡＥＳＵブランドのＦＴ−１０００ＭＰ  Ｍａｒｋ−Ｖ送受信器の伝送器部分であってもよい。ＲＦ信号は、当業者に既知の特定の阻止構成要素を省略することによって、ＹＡＥＳＵブランドのＦＴ−１０００ＭＰ  Ｍａｒｋ−Ｖ送受信器の伝送器部分にＮａＣｌよって、約１３．５６ＭＨｚ（ＩＳＭ設備用のＦＣＣ認可周波数のうちの１つ）で生成可能である。ＲＦ発生器および伝送ヘッドは、それと回路的に連絡している、またはそれに一体型の関連のアンテナ同調器回路（図示せず）を有してもよく、例えば、伝送ヘッドおよび反応室（および、該当する場合は受信器）のインピーダンスに調整するための、自動または手動アンテナ同調器回路を有してもよい。ＹＡＥＳＵブランドのＦＴ−１０００ＭＰ  Ｍａｒｋ−Ｖ送受信器の伝送器部分は、このような一体型アンテナ同調器回路を有する（「同調」ボタンを押すと、ＲＦ���生器部分に提示される負荷にユニットを自動的に調整する）。ＲＦ発生器および伝送ヘッドは、それと回路的に連絡している、またはそれに一体型の関連のアンテナ同調器回路（図示せず）を有してもよく、例えば、反応室および受信器の組み合わせインピーダンスに調整し、その変化を補償するための、自動または手動アンテナ同調器回路を有してもよい。ＹＡＥＳＵブランドのＦＴ−１０００ＭＰ  Ｍａｒｋ−Ｖ送受信器の伝送器部分は、このような一体型アンテナ同調器回路を有してもよい。伝送ヘッドおよび受信ヘッドの種々の構成は、本明細書において例示されるように可能である。
【００２５】
（図５〜図６）
伝送ヘッド１０４は、それと回路的に連絡している同軸コイルを有する導電性板等の、多数の異なる伝送器ヘッド構成のうちのいずれかであってもよい。代替的に、図５に例示されるように、伝送ヘッド１０４は、対応するコイルを含まない導電性板５０２（例えば、０．０２０インチのステンレス鋼から作製される直径６インチの平坦な平面板）を備えてもよい（または導電性板５０２から成ってもよい）。伝送板５０２は、円形であってもよく、また、対象範囲のサイズおよび板によって生成される所望の電圧場に依存したサイズであってもよい。同様に、図６に例示されるように、受信器ヘッド１１２は、対応するコイルを含まない導電性板６０２（例えば、０．０２０インチのステンレス鋼から作製される直径６インチの平坦な平面板）を備えてもよい（または導電性板６０２から成ってもよい）。受信板６０２は、円形であってもよく、また、対象範囲のサイズおよび板によって生成される所望の電圧場に依存したサイズであってもよい。受信板６０２は、反応室１０６によって生成される電圧場を結合ＲＦ信号１０８によって変更するように、伝送板５０２よりも実質的に小さいサイズまたは実質的に大きなサイズであってもよい。代替的に、受信板６０２または伝送板５０２のいずれか（その両方を含む）は、パラボラ板であってもよく、凹側が対象範囲（図示せず）に対向する。板は、ステンレス鋼の代わりに、銅（例えば、０．０９０インチの銅板）から作製されてもよい。
【００２６】
（図７〜図９）
代替的に、伝送ヘッド１０４または受信器ヘッド１１２の各々または両方は、一連の離間した積層導電性板から構成され得る。離間した積層導電性板は、同軸上の円形板であってもよく、また、その直径が連続的に減少してもよい。図７は、受信器ヘッド１１２が、直径が連続的に減少する離間、積層、導電性、同軸上、および円形の板を備える例示的システム７００を示す。例示的な受信器ヘッド８００の板は、図８Ａ〜図８Ｃにおいて説明されるように構築されてもよく（例えば、アルミニウムベースで示されるようなサイズである）、図８Ａ〜図８Ｃに説明されるように相互に絶縁されてもよい。板は、ステンレス鋼の代わりに、銅（例えば、０．０９０インチ銅板）から作製されてもよい。
【００２７】
同様に、伝送ヘッド１０４は、一連の離間した積層導電性板を備えてもよい。離間した積層導電性板は、同軸上の円形板であってもよく、また、その直径が連続的に減少してもよい。図９Ａ〜図９Ｃは、直径が連続的に減少する離間、積層、導電性、同軸上、および円形の板を備える例示的な伝送ヘッド９００を示す。例示的伝送ヘッド９００の板は、図９Ａ〜図９Ｃに説明されるように構築されてもよく（例えば、テフロン（登録商標）ベースで示されるようなサイズである）、図９Ａ〜図９Ｃに説明されるように相互に絶縁されてもよい。代替的に、例示的な受信器ヘッド８００の板および／または例示的な伝送ヘッド９００の板は、相互に回路通信してもよく、例えば、導電性の留め具により、その離間構成において直接電気的に結合される。板は、ステンレス鋼の代わりに、銅（例えば、０．０９０インチ銅板）から作製されてもよい。電気的に絶縁される板を含む伝送ヘッド９００は、電気的に結合される板を含む受信器ヘッド８００とともに使用されてもよく、その逆もまた同様である。
【００２８】
（図１０〜図１６）
同調回路１１６は、ＲＦ発生器１０２および伝送ヘッド１０４間で回路通信してもよく、また、パイネットワークまたは同調可能パイネットワークを備えてもよい。例示的同調回路１０００は、図１０に示され、その図面に列挙される構成要素で形成される。図１０〜図１６ａの例示的構成要素値は、表Ｉに示される。同調回路１０００は、ＲＦ発生器１０２および伝送ヘッド１０４間に結合されてもよい。したがって、図１１に示されるように、例示的システムは、例示的同調回路１０００と回路的に連絡しているＥＮＩ  ＯＥＭ−１２Ｂ  ＲＦ発生器を含んでもよく、例示的同調回路１０００は、例示的伝送ヘッド９００と回路通信して、ＲＦ信号１０８を受信器ヘッド１１２に結合することによって、反応室１０６を介してＲＦ信号１０８を生成する。受信器ヘッド１１２は、図１１の例示的システムに示すように、例示的受信器ヘッド８００と同一であってもよい。
【００２９】
図１０〜図１５において使用される例示的同調回路１０００の例示的実装は、ＥＮＩ  ＲＦ発生器によって生成されるＲＦ信号の電圧に対して、約１５対１の電圧利得を示すと思われる。したがって、例示的同調回路１０００は、昇圧器であると考えられ得る。より大きな板の伝送ヘッドの電圧は、インチ当たり４０，０００ボルトを上回ると推定されている。したがって、伝送ヘッドおよび／または受信ヘッドの一部または全部は、エンクロージャに密閉、包囲されてもよく、あるいは絶縁材料にカプセル化されてもよい。
【００３０】
図１３〜図１５は、図１２の例示的システムの部分の例示的実装に関する異なる図を示す。これらの図面に示すように、図１０〜図１２に使用される例示的同調回路１０００を実装する際、大きい方のインダクタＬ２は、その長手方向軸が、伝送ヘッドＦＰ１の板の中心軸と実質的に同軸上になるように配置されてもよく、また、小さいインダクタＬ１の中心軸は、大きい方のインダクタＬ２の長手方向軸に実質的に垂直であってもよい。図１０〜図１２に列挙される例示的構成要素の代わりに、他の構成要素を使用して、同調回路１０００を実装してもよい。例えば、小さい方のインダクタＬ１は、銀被覆されてもよく、または、通電容量を増加するために（小さい方のインダクタＬ１は、例示的実施形態において比較的熱くなり得る）、巻数が１２回の５／１６インチ銅管により作製されてもよく（銅管の直径がさらに大きい場合、巻数は増える）、コンデンサＣ１は、１１個の１３００ｐＦコンデンサＣ１の代わりに、１３個の１００ｐＦコンデンサから作製されてもよい。別の例として、ヘッドにおける板は、ステンレス鋼の代わりに、銅から（例えば、０．０９０インチ銅板から）作製されてもよい。図１３〜図１５に示される例示的実装において、伝送ヘッドに若干近い対象範囲の領域（約６０／４０距離比）は、２つのヘッド間の死点よりも若干多く加熱する。図１０〜図１５の構成要素の接地部分は、銅シート１３００または他の適切な導電性シートに装着されてもよく、受信ヘッドＦＰ２の導電性スタンドは、図１５に示すように、銅シート１５００または他の適切な導電性シートに装着されてもよい。接地板１３００、１５００は、１つ以上の銅帯１３０２によって結合されてもよい。
【００３１】
（図１６）
図１６は、伝送ヘッドＦＰ１’が単一の６インチ板しか含まないこと以外は、システム１２００（図８Ａ〜８Ｃ、図９Ａ〜９Ｃ、図１２〜図１５に示され、かつ上述される）と同一である別の例示的システム１６００を示し、伝送ヘッドＦＰ１の１つの６インチ円形板と、受信器ヘッドＦＰ２の３つの６インチ板および４インチ板および３インチ板とは、０．０９０インチ厚の銅から作製され、コンデンサＣ１は、１１００ｐＦの代わりに１３００ｐＦであり、小さい方のインダクタＬ１は、銀被覆され、巻数が１２回の５／１６インチ銅管から作製される。図１６ａは、受信器ヘッドＦＰ２が単一の６インチ円形板しか含まないこと以外は、システム１６００と同一である別の例示的システム１６００を示す。伝送部分および受信部分は、１つ以上の適切なエンクロージャ、例えば、図２２のエンクロージャ３５０２、３５０４に包囲されてもよい。例示的な物理的実施形態の伝送ヘッドにおいて開回路電圧が読み取られる。１００Ｗの伝送電力におけるＲＦ場の開回路電圧は、広帯域オシロスコープによって約６０００ボルト（例えば、約５８００Ｖ）の頂点間振幅で測定され、これは、１０００Ｗの伝送電力において約２２，０００ボルトに上昇する（図１３〜図１５の構成における図１６Ａ）。さらに、これらの例示的システムにおいて、電圧および電流が同相ではないと考えられる（例えば、特定の位相角によって非同相である）。さらに、恐らく改善されるＲＦ加熱効率および／またはＲＦ伝送効率は、電圧および電流間の位相関係を所定の位相角またはリアルタイムの既定の（または任意の）位相角に変更することによって実現され得る。さらに、例示的な物理的実施形態のＱは、２５０を上回る（例えば、２５０〜２９０）帯域幅（Ｓ９または３ｄＢ点）を使用して推定されている（図１３〜図１５の構成の図１６Ａ）。当然ながら、これらの例示的実施形態を使用するＲＦ加熱は、誘導加熱とは大幅に異なる（類似の周波数における誘導加熱とも実質的に異なる）。
【００３２】
図２２に示すように、回路は、伝送エンクロージャ３５０２および受信エンクロージャ３５０４である２つのエンクロージャに装着されてもよく、反応室３５０６はその間に存在する。例示的伝送エンクロージャ３５０２は、受信エンクロージャ３５０４に対向する側面３５１３以外の全ての側面において接地金属壁３５１２を有する（例示的伝送エンクロージャ３５０２のこのような５つの壁３５１２のうちのこのような４つの壁３５１２ａ〜３５１２ｄのみが図示され、上部接地壁は除去されている）。同様に、例示的受信エンクロージャ３５０４は、伝送エンクロージャ３５０２に対向する側面３５１５以外の全ての側面において接地金属壁３５１４を有する（例示的受信エンクロージャ３５０４のこのような５つの壁３５１４のうちのこのような４つの壁３５１４ａ〜３５１４ｄのみが図示され、上部接地壁は除去されている）。伝送エンクロージャ３５０２の接地壁３５１２は、受信エンクロージャ３５０４の接地壁３５１４と回路通信している。対向壁３５１３および３５１５は、ＴＥＦＬＯＮまたは別の適切な電気絶縁体から作製されてもよい。伝送エンクロージャ３５０２および／または受信エンクロージャ３５０４は、伝送ヘッドおよび受信ヘッド間の可変空間が、異なるサイズの反応室３５０６を収容できるように移動可能に装着されてもよい。対向壁３５１３および３５１５は、関連の開口部（図示せず）を有してもよく、この開口部に、種々のラックおよび他の構造が、伝送ヘッドおよび受信ヘッド間の本体部分または他の対象構造を支持するように結合可能である。分散パッド（図示せず）は、対象の直接接地または対象構造の容量接地に設けられてもよく、接地パッドは、接地壁３５１２、３５１４に結合されてもよい（このような直接または容量接地パッドは、対象構造が小さいと、比較的高いレベルのＲＦを吸収し、より十分に加熱することに役立ち得る）。伝送側構成要素３５２２は、例示的伝送エンクロージャ３５０２内部に装着されてもよく、また、受信側構成要素３５２４は、例示的受信エンクロージャ３５０４内部に装着されてもよい。例示的伝送エンクロージャ３５０２および受信エンクロージャ３５０４の両方は、温度感知ファンによって冷却されてもよく、この温度感知ファンは、所定の熱レベルに到達するエンクロージャ３５０２、３５０４内部の熱に応答して電源が入る。また、例示的伝送エンクロージャ３５０２および受信エンクロージャ３５０４は、複数のパススルーコネクタも有し、例えば、ＲＦ信号が、ＲＦ信号発生器から例示的伝送エンクロージャ３５０２へ通過する（おそらく、電力計を介して）ことが可能になり、また、受信した信号が、例示的受信エンクロージャ３５０４から電力計へ通過し、受信エンクロージャ３５０４内部に戻ることが可能になる。本例示的実施形態において、エンクロージャ３５０２、３５０４は、ヘッドの遠位端、近位端間の空間が約２インチから１フィート以上に離間して変動するように移動してもよい。種々の他の実施形態は、ヘッドの遠位端、近位端間の異なる範囲の空間、例えば、約２インチから約２０インチ以上、または２インチから約４０インチ以上離間している異なる範囲の空間を有してもよい。
【００３３】
このような各エンクロージャは、伝送ヘッドＦＰ１’および受信ヘッドＦＰ２に近接する壁以外は、接地（例えば、銅）基板を含む接地（例えば、アルミニウム）壁を有してもよく、セラミックまたはＴＥＦＬＯＮブランドのＰＴＦＥ、例えば、ＴＥＦＬＯＮブランドのバージングレード電気グレードＰＴＦＥ、または別の絶縁体から作製されてもよい。壁は、銅帯を使用して銅板に接地されてもよく、複数のエンクロージャを使用する場合、エンクロージャは、エンクロージャをまとめて接地するためにその間に銅帯を有してもよい。長時間標準蛍光電球を使用して、効果的な接地を確認することが可能である（例えばＲＦ信号をオンにし、電球を照射するために伝送ヘッドに近接して電球を繰り返し配置し、次に、電球をエンクロージャ周囲の位置に移動することによって、電球の照射の終了を観察し、許容可能な設置を確認する）。接地壁は、セラミックまたはＴＥＦＬＯＮブランドＰＴＦＥ、例えば、ＴＥＦＬＯＮブランドのバージングレード電気グレードＰＴＦＥ、または別の絶縁体等の電気絶縁体の層をその内部に有してもよい。
【００３４】
図１２〜図１６の例示的システムは、対象範囲において超高電圧場を生成すると考えられ、この超高電圧場を使用して、本明細書に教示する種々の方法に関連するＲＦ吸収促進剤の一部として、多数の異なる種類のＲＦ吸収粒子を加熱することが可能である。例えば、図１２〜図１６の例示的システムは、本明細書に教示する種々の方法に関連する塩水溶液を加熱可能および燃焼可能であると考えられる。
【００３５】
図２４は、少なくとも部分的に液体に浸漬するように適合される例示的伝送配置２４００を示す。エンクロージャは、密閉型回路ハウジング２４０５を含み、ハウジングにおいて同調回路２４２０および伝送ヘッド２４２５が包囲される。同調回路は、図示されるようにエンクロージャに包囲されるか、またはエンクロージャ２４０５の外部に位置するＲＦ発生器２４１０からＲＦ信号を受信する。絶縁領域２４３０、例えば、空気ポケットまたは別のガスの空気ポケットは、伝送ヘッド２４２５およびエンクロージャ２４０５間に配置される。また、エンクロージャは、フックまたはループ２４５０等の装着手段も含んでもよく、これを使用して、エンクロージャをケーブルまたは他の類似の機構に機械的に結合し、例えば、ウインチもしくはクレーン（図示せず）または他の引き下げ手段で、エンクロージャを穴または限定処理範囲に引き下げる。ＲＦ発生器２４１０が、密閉型エンクロージャ２４０５の外部に位置する場合、絶縁導体（図示せず）は、回路２４２０がＲＦ発生器と回路的に連絡しているように提供されてもよい。構築中、結合回路の周囲のエンクロージャ２４０５の一部からの空気を抜いてもよく、エンクロージャ２４０５は、窒素またはキセノン等の不活性ガスで充填されてから密閉される。結合回路は、同調可能または同調不可能（例えば、事前同調）であってもよく、また、図示または本明細書に記載の結合回路のいずれかと同一であってもよく、伝送ヘッドの事実上いずれかが本明細書に図示される。エンクロージャ２４０５の結合回路部分を不活性ガスで充填する場合、さらに高出力のＲＦ信号が、本明細書、例えば、図１３〜図１５または図１６ａに開示される種々の結合回路を使用して結合され得ることが考えられる。代替的に、エンクロージャ２４０５の結合回路部分を不活性ガスで充填する場合、より小さい構成要素を使用してもよいため（エンクロージャ内における結合構成要素の電圧破裂を増加させることによって）、図１３〜図１５の例示的結合回路に対して大幅に小さい結合回路が使用され得る。結合回路が同調可能である場合、このような同調は、遠隔制御可能な同調可能構成要素、例えば、コンデンサの値を変更するように構成されるステッパモータを有する可変コンデンサを使用して、またはコンデンサの値を機械的に遠隔変更する遠隔ケーブルによって達成されてもよい。したがって、エンクロージャから除去される制御ユニット（図示せず）を使用して、反射電力を低減または除去するように回路を同調するために電気信号を伝送してもよく、または、ユーザは、反射電力を低減または除去するように回路を機械的に遠隔同調してもよい。接地受信ヘッド（図示せず）を本構成（例えば、エンクロージャに装着され、かつ伝送ヘッドおよび受信ヘッド間、または絶縁領域および受信ヘッド間に水が流れるように構成される）において使用してもよいが、対象の水を受信器および電流路（接地受信ヘッドとして）として使用して、受信ヘッド自体を含まない回路を同調することが可能であってもよいと考えられる。
【００３６】
（方法）
（ｉ）少なくとも１つの添加剤、または（ｉｉ）少なくとも１つの二次燃料、または（ｉｉｉ）その混合液を任意に含有する塩水含有溶液は、高圧ＲＦ信号を塩水含有溶液に通過させることによって、ＲＦ信号を使用して燃焼されてもよい。一般的な意味において、方法は、（ｉ）少なくとも１つの添加剤、または（ｉｉ）少なくとも１つの二次燃料、または（ｉｉｉ）その混合液を任意に含有し得る塩水含有溶液を提供するステップと、塩水含有溶液を燃焼するために、ＲＦ信号を塩水含有溶液に通過させるステップとによって特徴付けられてもよい（図２３）。代替的に、一般的な意味において、方法は、水または他の液体の加熱を促進するために塩を添加するための方法として特徴付けられてもよい。塩水は、塩水にＲＦ信号を伝送して塩水を燃焼するために使用される図１６の回路の回路実装を含む例示的システムを使用して燃焼されている。約１．０２６ｇ／ｃｍ３の比重を有するＯＣＥＡＮＩＣブランドのＮａｔｕｒａｌ  Ｓｅａ  Ｓａｌｔ  Ｍｉｘの溶液が使用された。約８００ワット〜１０００ワット（例えば、約９００ワット）の電力を有するＥＮＩ  ＯＥＭ−１２Ｂ  ＲＦ発生器からの１３．５６ＭＨｚのＲＦ信号を使用して、塩水を燃焼した。
【００３７】
（図１７）
図１７は、塩水または塩水含有溶液から水素を産生するための高レベルの例示的方法論１７００を示す。
【００３８】
方法論は、ブロック１７０２で開始する。ブロック１７０４において、塩水が提供される。塩水は、水および少なくとも１つの塩を含み、有効量の塩は水中に溶解される。特定の実施形態において、塩は、加熱を促進するために水または他の液体に添加される。任意により、塩水および（ｉ）少なくとも１つの添加剤、または（ｉｉ）少なくとも１つの二次燃料、または（ｉｉｉ）その混合液を含有する塩水含有溶液を使用してもよい。塩は、水溶性の任意の種類の有用な塩であることが可能である。有用な塩に関するいくつかの例については、以下により詳細に説明する。有効量の塩は、ＲＦ信号から十分なエネルギー出力を吸収し、塩水または塩水含有溶液が分解を起こして水素を生成するのに必要な量の塩である。ＯＣＥＡＮＩＣブランドのＮａｔｕｒａｌ  Ｓｅａ  Ｓａｌｔ  Ｍｉｘを使用して、有効量の塩を有する天然海水の組成を近似してもよく、これは、本明細書に論じられ図示されるシステムおよび方法に使用される塩水として、または塩水含有溶液における塩水成分としてさらに使用してもよい。天然海水のこのような近似は、比重計の読み取りとして、約１．０２ｇ／ｃｍ３から１．０３ｇ／ｃｍ３、例えば、約１．０２０〜１．０２４の間の比重または約２８ＰＰＴ〜３２ＰＰＴを有してもよい。天然海水の近似として、約１．０２６ｇ／ｃｍ３（屈折計で測定される）の比重を有する上に示した海塩と水の混合液を、例示的システムおよび方法において使用した。代替的に、本明細書に論じられ図示されるシステムおよび方法に実際の海水を使用してもよいと考えられる。
【００３９】
塩水または塩水含有溶液の容器を事前に作製し、要求に応じて利用可能であるようにタンクに貯蔵してもよいことが想定される。例えば、貯蔵タンクは、供給管によって反応室に結合されてもよい。このように、事前調合した塩水または溶液の供給は、供給管を介して貯蔵タンクから反応室へポンプで送られ、この供給管の一端は、貯蔵タンクに結合され、他方端は、反応室にある入口に結合される。前述のように、普通の海水を使用してもよいと考えられる。
【００４０】
ブロック１７０６において、ＲＦ伝送器が提供される。ＲＦ伝送器は、適切なＲＦ信号を生成する任意の種類のＲＦ伝送器であってもよい。ＲＦ伝送器は、可変周波数ＲＦ伝送器であってもよい。任意により、ＲＦ伝送器は、多重周波数ＲＦ信号を提供可能である多重周波数伝送器であってもよい。任意により、ＲＦ伝送器は、変動振幅またはパルス振幅を有するＲＦ信号を伝送可能である。多種多様の異なる形状およびサイズの伝送ヘッドおよび受信ヘッドのうちの１つ以上が提供されてもよい。
【００４１】
ブロック１７０８において、伝送ヘッドは選択されてもよい。伝送ヘッドの選択は、提供されるＲＦ伝送器の種類に部分的に基づいてもよい。例えば、一般的な対象範囲または特定の処理対象範囲に関する深度、サイズ、および形状等の他の要因ならびに伝送周波数の数は、伝送ヘッドの選択を判断する際に使用されてもよい。
【００４２】
ブロック１７１０において、ＲＦ受信器が提供される。ＲＦ受信器は、ＲＦ伝送器の周波数に同調されてもよい。ブロック１７１２において、所望の受信器ヘッドは選択されてもよい。伝送ヘッドの選択と同様に、受信器ヘッドは、特定用途の所望の特徴に適合するように選択されてもよい。例えば、伝送ヘッドよりも大きい受信器ヘッドは、反応室の特定の範囲にＲＦ信号を集中させるように選択可能である（ヘッドが小さいと、ＲＦ加熱を促進するようにＲＦを集中させると以前は考えられていたが、大きい受信ヘッドの生成する温度のほうが高いことが発見された）。例えば、単一の６インチ円形銅板を、Ｔｘ側に使用し、単一の四角形の９．５インチ銅板をＲｘ側に使用してもよい。このように、受信器ヘッドの種々のサイズおよび形状の選択によって、塩水混合液におけるＲＦ信号の最適濃度が可能になる。
【００４３】
ブロック１７１４において、伝送ヘッドは配置される。伝送ヘッドの配置は、例えば、反応室に近接し、かつ反応室の一方の側面に伝送ヘッドを配置することによって達成される。ブロック１７１６において、受信器ヘッドは配置される。同様に、受信器ヘッドの配置は、例えば、反応室に近接して、かつ反応室の他方の側面に受信器ヘッドを配置することによって達成され、伝送ヘッドを介して受信器ヘッドに伝送されたＲＦ信号が、反応室を通過し、塩水または塩水含有溶液の塩水成分によって吸収されるようにする。伝送ヘッドおよび受信ヘッドは、反応室との直接接触から絶縁される。ヘッドは、空隙によって反応室から絶縁されてもよい。任意により、ヘッドは、別の絶縁材料によって対象範囲から絶縁されてもよい。
【００４４】
ブロック１７１８において、ＲＦ周波数は選択されてもよい。ブロック１７１８において所望のＲＦ周波数を選択するステップの他に、伝送時間または継続時間も選択されてもよい。継続時間は、例えば、特定の時間の長さに設定されるか、または塩水もしくは塩水含有溶液の少なくとも一部分の温度を所望の温度／温度領域に上昇するように設定されるか、または所望の温度変化に設定される。さらに、任意により、例えば、振幅、パルス振幅、ＲＦ信号のオン／オフパルスレート、ＲＦ信号の周波数が設定期間に応じて、または設定温度、温度領域、もしくは温度変化に関連して変動する可変ＲＦ信号等のＲＦ信号の他の修正が、この時点で選択されてもよい。
【００４５】
ブロック１７２０において、ＲＦ信号は、伝送ヘッドから受信器ヘッドへ伝送される。ＲＦ信号は、反応室を通過し、反応室内に収容される塩水または塩水含有溶液の塩水成分によって吸収される。ＲＦエネルギーの吸収は、塩水または塩水含有溶液の塩水成分の分解をもたらし、水素を生成する。
【００４６】
ブロック１７２２において、塩水または塩水含有溶液の分解により産生された水素が回収される。水素は、任意の手段によって回収されてもよい。水素を回収するための手段の例として、真空装置またはポンプ装置を利用して、産生されたままの水素ガスを除去し、反応室から物理的に分離した位置に水素を保持することが挙げられ得る。例えば、このような真空装置またはポンプ装置の一方の端は、反応室にある出口に取り付けられ、他方の端は、ガス貯蔵容器に取り付けられる。ガスがタンクに入るまたはポンプでタンクに流入するが、ガスがタンクから出ないように、ガス貯蔵容器に、弁、例えば、一方向弁が備えられてもよいことが想定される。
【００４７】
方法論は、ブロック１７２４で終了してもよく、また、所定の時間間隔の後、および／所望の量の水素産生が達成したという判断に応答して終了してもよい。本方法は、１回もしくは繰り返して、または連続的に、または周期的に、または断続的に実行されてもよい。
【００４８】
（図１８（ａ）および図１８（ｂ））
図１８（ａ）は、塩水から水素を産生し、その後、産生された水素を燃焼するための高レベルの例示的方法論１８００を示す。図１８（ｂ）は、（ｉ）二次燃料を揮発および燃焼するために、二次燃料を任意に含有する塩水含有溶液を十分に加熱するステップ、または（ｉｉ）水素を生成し、その後、産生された水素を燃焼するために、塩水含有溶液の塩水成分を分解するステップ、または（ｉｉｉ）その両方のための、高レベルの例示的方法論１８００を示す。
【００４９】
図１８（ａ）および図１８（ｂ）の方法論は、ブロック１８０２で開始する。ブロック１８０４において、塩水または塩水含有溶液が提供される。図１８（ａ）において、塩水は、水および少なくとも１つの塩を含み、有効量の塩は水中に溶解される。特定の実施形態において、塩は、加熱を促進するために水または他の液体に添加される。図１８（ｂ）において、塩水溶液は、図１８（ａ）の塩水および任意により（ｉ）少なくとも１つの添加剤、または（ｉｉ）少なくとも１つの二次燃料源、または（ｉｉｉ）その混合液を含む。図１８（ａ）〜図１８（ｂ）において使用される塩は、水溶性の任意の種類の有用な塩であることが可能である。有用な塩に関するいくつかの例については、以下により詳細に説明する。有効量の塩は、ＲＦ信号から十分なエネルギー出力を周りの水が吸収でき、分解を起こして水素を生成するのに必要な量の塩、またはＲＦ信号から十分なエネルギー出力を周りの水が吸収でき、十分な加熱を起こして、任意に存在する任意の二次燃料源を揮発および燃焼するのに必要な量の塩であり、ＲＦ信号から十分なエネルギー出力を周りの水が吸収できるようにし、十分な加熱を起こして、任意により存在する任意の二次燃料源を揮発および燃焼するのに必要な量の塩である。ＯＣＥＡＮＩＣブランドのＮａｔｕｒａｌ  Ｓｅａ  Ｓａｌｔ  Ｍｉｘを使用して、有効量の塩を有する天然海水の組成を近似してもよく、これは、本明細書に論じられ図示されるシステムおよび方法おける塩水含有溶液の塩水成分としてさらに使用してもよい。天然海水のこのような近似は、比重計の読み取りとして、約１．０２ｇ／ｃｍ３から１．０３ｇ／ｃｍ３、例えば、約１．０２０〜１．０２４の間の比重または約２８ＰＰＴ〜３２ＰＰＴを有してもよい。天然海水の近似として、約１．０２６ｇ／ｃｍ３（屈折計で測定される）の比重を有する上に示した海塩と水の混合液を、例示的システムおよび方法において使用した。代替的に、本明細書に論じられ図示されるシステムおよび方法に実際の海水を使用してもよいと考えられる。
【００５０】
塩水または塩水含有溶液の容器を事前に作製し、要求に応じて利用可能であるようにタンクに貯蔵してもよいことが想定される。例えば、貯蔵タンクは、供給管によって反応室に結合されてもよい。このように、事前調合した塩水または塩水含有溶液の供給は、供給管を介して貯蔵タンクから反応室へポンプで送られ、この供給管の一端は、貯蔵タンクに結合され、他方端は、反応室にある入口に結合される。
【００５１】
ブロック１８０６において、ＲＦ伝送器が提供される。ＲＦ伝送器は、適切なＲＦ信号を生成する任意の種類のＲＦ伝送器であってもよい。ＲＦ伝送器は、可変周波数ＲＦ伝送器であってもよい。任意により、ＲＦ伝送器は、多重周波数ＲＦ信号を提供可能である多重周波数伝送器であってもよい。またさらに、任意により、ＲＦ伝送器は、変動振幅またはパルス振幅を有するＲＦ信号を伝送可能であってもよい。多種多様の異なる形状およびサイズの伝送ヘッドおよび受信ヘッドが提供されてもよい。
【００５２】
ブロック１８０８において、伝送ヘッドは選択されてもよい。伝送ヘッドの選択は、提供されるＲＦ伝送器の種類に部分的に基づいてもよい。例えば、一般的な対象範囲または特定の処理対象範囲に関する深度、サイズ、および形状等の他の要因ならびに伝送周波数の数は、伝送ヘッドの選択を判断する際に使用されてもよい。
【００５３】
ブロック１８１０において、ＲＦ受信器が提供される。ＲＦ受信器は、ＲＦ伝送器の周波数に同調されてもよい。ブロック１８１２において、所望の受信器ヘッドは選択されてもよい。伝送ヘッドの選択と同様に、受信器ヘッドは、特定用途の所望の特徴に適合するように選択されてもよい。例えば、伝送ヘッドよりも大きい受信器ヘッドは、反応室の特定の範囲にＲＦ信号を集中させるように選択可能である（ヘッドが小さいと、ＲＦ加熱を促進するようにＲＦを集中させると以前は考えられていたが、大きい受信ヘッドの生成する温度のほうが高いことが発見された）。受信器ヘッドの種々のサイズおよび形状によって、塩水および塩水混合液におけるＲＦ信号の最適濃度が可能になる。
【００５４】
ブロック１８１４において、伝送ヘッドが配置される。伝送ヘッドの配置は、例えば、反応室に近接し、かつ反応室の一方の側面に伝送ヘッドを配置することによって達成される。ブロック１８１６において、受信器ヘッドが配置される。同様に、受信器ヘッドの配置は、例えば、反応室に近接して、かつ反応室の他方の側面に受信器ヘッドを配置することによって達成され、伝送ヘッドを介して受信器ヘッドに伝送されたＲＦ信号が、反応室を通過し、塩水または塩水含有溶液の塩水成分によって吸収されるようにする。伝送ヘッドおよび受信ヘッドは、反応室との直接接触から絶縁される。ヘッドは、空隙によって反応室から絶縁されてもよい。任意により、ヘッドは、別の絶縁材料によって対象範囲から絶縁されてもよい。
【００５５】
ブロック１８１８において、ＲＦ周波数は選択されてもよい。ブロック１８１８において所望のＲＦ周波数を選択するステップの他に、伝送時間または継続時間も選択されてもよい。継続時間は、例えば、特定の時間の長さに設定されるか、または塩水もしくは塩水含有溶液の少なくとも一部分の温度を所望の温度／温度領域に上昇するように設定されるか、または所望の温度変化に設定される。さらに、任意により、例えば、振幅、パルス振幅、ＲＦ信号のオン／オフパルスレート、ＲＦ信号の周波数が設定期間に応じて、または設定温度、温度領域、もしくは温度変化に関連して変動する可変ＲＦ信号等のＲＦ信号の他の修正が、この時点で選択されてもよい。
【００５６】
ブロック１８２０において、ＲＦ信号は、伝送ヘッドから受信器ヘッドへ伝送される。ＲＦ信号は、反応室を通過し、反応室内に存在する塩水または塩水含有溶液の塩水成分によって吸収される。図１８（ａ）において、ＲＦエネルギーの吸収は、最初に塩水の分解をもたらして水素を産生し、一方、ＲＦエネルギーのまた更なる吸収は、塩水の分解によって産生された水素の燃焼を最終的にもたらす。図１８（ｂ）において、ＲＦエネルギーの吸収は、最初に、（ｉ）任意により存在し得る任意の二次燃料を揮発および燃焼するために、塩水含有溶液を十分に加熱すること、または（ｉｉ）塩水含有溶液の塩水成分を分解して水素を生成すること、または（ｉｉｉ）その両方をもたらす。
【００５７】
方法論は、ブロック１８２２で終了してもよく、また、所定の時間間隔の後、および／所望の量の水素産生および水素燃焼が達成したという判断に応答して終了してもよく、または代替的に、任意に存在し得る二次燃料の所望の量の揮発および燃焼が達成されたという判断に応じて終了してもよい。本方法は、１回もしくは繰り返して、または連続的に、または周期的に、または断続的に実行されてもよい。
【００５８】
（図１９（ａ）および図１９（ｂ））
図１９（ａ）は、塩水から水素を産生するため、産生された水素の燃焼のため、およびその後、この化学エネルギーからピストンを動かす機械エネルギーへの変換するための高レベルの例示的方法論１９００を示す。図１９（ｂ）は、（ｉ）二次燃料を揮発および燃焼するために、二次燃料を任意に含有し得る塩水含有溶液を十分に加熱するため、または（ｉｉ）塩水含有溶液の塩水成分を分解して、水素を生成し、その後、揮発した二次燃料源または産生された水素を燃焼するため、または（ｉｉｉ）その両方のため、ならびにその後、燃焼が放出する化学エネルギーを、ピストンを動かす機械エネルギーへ変換するための高レベルの例示的方法論１９００を示す。
【００５９】
図１９（ａ）および図１９（ｂ）の両方の方法論は、ブロック１９０２で開始する。ブロック１９０４において、塩水または塩水含有溶液が提供される。図１９（ａ）において、塩水は、水および少なくとも１つの塩を含み、有効量の塩は水中に溶解される。特定の実施形態において、塩は、加熱を促進するために水または他の液体に添加される。図１９（ｂ）において、塩水含有溶液は、図１９（ａ）からの塩水および任意により（ｉ）少なくとも１つの添加剤、または（ｉｉ）少なくとも１つの二次燃料源、または（ｉｉｉ）その混合液を含む。塩は、水溶性の任意の種類の有用な塩であることが可能である。有用な塩に関するいくつかの例については、以下により詳細に説明する。有効量の塩は、ＲＦ信号から十分なエネルギー出力を周りの水が吸収でき、分解を起こして水素を生成するのに必要な量の塩、またはＲＦ信号から十分なエネルギー出力を周りの水が吸収でき、十分な加熱を起こして、任意に存在する任意の二次燃料源を揮発および燃焼するのに必要な量の塩である。ＯＣＥＡＮＩＣブランドのＮａｔｕｒａｌ  Ｓｅａ  Ｓａｌｔ  Ｍｉｘを使用して、有効量の塩を有する天然海水の組成を近似してもよく、これは、本明細書に論じられ図示されるシステムおよび方法おいて使用される塩水含有溶液の塩水成分としてさらに使用してもよい。天然海水のこのような近似は、比重計の読み取りとして、約１．０２ｇ／ｃｍ３から１．０３ｇ／ｃｍ３、例えば、約１．０２０〜１．０２４の間の比重または約２８ＰＰＴ〜３２ＰＰＴを有してもよい。天然海水の近似として、約１．０２６ｇ／ｃｍ３（屈折計で測定される）の比重を有する上に示した海塩と水の混合液を、例示的システムおよび方法において使用した。代替的に、本明細書に論じられ図示されるシステムおよび方法に実際の海水を使用してもよいと考えられる。
【００６０】
塩水または塩水含有溶液の容器を事前に作製し、要求に応じて利用可能であるようにタンクに貯蔵してもよいことが想定される。例えば、貯蔵タンクは、供給管によって反応室に結合されてもよい。このように、事前調合した塩水または塩水含有溶液の供給は、供給管を介して貯蔵タンクから反応室へポンプで送られ、この供給管の一端は、貯蔵タンクに接続され、他方端は、反応室にある入口に接続される。代替的に、噴射ノズルが、反応室の入口につながる供給管の端部に取り付けられ得ることが想定される。本配置において、塩水または塩水含有溶液は、ミストまたは噴霧の形態で反応室に導入され得ると考えられる。
【００６１】
ブロック１９０６において、ＲＦ伝送器が提供される。ＲＦ伝送器は、適切なＲＦ信号を生成する任意の種類のＲＦ伝送器であってもよい。ＲＦ伝送器は、可変周波数ＲＦ伝送器であってもよい。任意により、ＲＦ伝送器は、多重周波数ＲＦ信号を提供可能である多重周波数伝送器であってもよい。またさらに、任意により、ＲＦ伝送器は、変動振幅またはパルス振幅を有するＲＦ信号を伝送可能であってもよい。多種多様の異なる形状およびサイズの伝送ヘッドおよび受信ヘッドが提供されてもよい。
【００６２】
ブロック１９０８において、伝送ヘッドは選択されてもよい。伝送ヘッドの選択は、提供されるＲＦ伝送器の種類に部分的に基づいてもよい。例えば、一般的な対象範囲または特定の処理対象範囲に関する深度、サイズ、および形状等の他の要因ならびに伝送周波数の数は、伝送ヘッドの選択を判断する際に使用されてもよい。
【００６３】
ブロック１９１０において、ＲＦ受信器が提供される。ＲＦ受信器は、ＲＦ伝送器の周波数に同調されてもよい。ブロック１８１２において、所望の受信器ヘッドは選択されてもよい。伝送ヘッドの選択と同様に、受信器ヘッドは、特定用途の所望の特徴に適合するように選択されてもよい。例えば、伝送ヘッドよりも大きい受信器ヘッドは、反応室の特定の範囲にＲＦ信号を集中させるように選択可能である（ヘッドが小さいと、ＲＦ加熱を促進するようにＲＦを集中させると以前は考えられていたが、大きい受信ヘッドの生成する温度のほうが高いことが発見された）。受信器ヘッドの種々のサイズおよび形状によって、塩水および塩水混合液におけるＲＦ信号の最適濃度が可能になる。
【００６４】
ブロック１９１４において、伝送ヘッドが配置される。伝送ヘッドの配置は、例えば、反応室に近接し、かつ反応室の一方の側面に伝送ヘッドを配置することによって達成される。ブロック１９１６において、受信器ヘッドは配置される。同様に、受信器ヘッドの配置は、例えば、反応室に近接して、かつ反応室の他方の側面に受信器ヘッドを配置することによって達成され、伝送ヘッドを介して受信器ヘッドに伝送されたＲＦ信号が、反応室を通過し、塩水または塩水含有溶液の塩水成分によって吸収されるようにする。伝送ヘッドおよび受信ヘッドは、反応室との直接接触から絶縁される。ヘッドは、空隙によって反応室から絶縁されてもよい。任意により、ヘッドは、別の絶縁材料によって対象範囲から絶縁されてもよい。
【００６５】
ブロック１９１８において、ＲＦ周波数が選択されてもよい。ブロック１９１８において所望のＲＦ周波数を選択するステップの他に、伝送時間または継続時間も選択されてもよい。継続時間は、例えば、特定の時間の長さに設定されるか、または塩水もしくは塩水含有溶液の少なくとも一部分の温度を所望の温度／温度領域に上昇するように設定されるか、または所望の温度変化に設定される。さらに、任意により、例えば、振幅、パルス振幅、ＲＦ信号のオン／オフパルスレート、ＲＦ信号の周波数が設定期間に応じて、または設定温度、温度領域、もしくは温度変化に関連して変動する可変ＲＦ信号等のＲＦ信号の他の修正が、この時点で選択されてもよい。
【００６６】
ブロック１９２０において、ＲＦ信号が、伝送ヘッドから受信器ヘッドへ伝送される。ＲＦ信号は、反応室を通過し、反応室内に存在する塩水または塩水含有溶液の塩水成分によって吸収される。図１９（ａ）において、ＲＦエネルギーの吸収は、最初に塩水の分解をもたらして水素を生成し、一方、ＲＦエネルギーのまたさらなる吸収は、塩水の分解によって産生された水素の燃焼を最終的にもたらす。図１９（ｂ）において、ＲＦエネルギーの吸収は、最初に、（ｉ）任意に存在し得る任意の二次燃料を揮発および燃焼するために、塩水含有溶液を十分に加熱すること、または（ｉｉ）水溶液の塩水成分を分解して水素を生成すること、または（ｉｉｉ）その両方をもたらす。
【００６７】
代替的に、着火源、例えば、スパークプラグが、反応室に取り付けられ得ることが想定される。この着火源は、例えば電池等の電流源とも回路通信し得る。本明細書において想定され得る配置は、必要に応じて、スイッチが切り替えられる着火源に向かう電流を提供し得る。これは、例えば、要求に応じてスパークプラグによりスパークが産生され得るため、着火事象の生成をもたらし得る。この着火事象が、塩水分解により産生された水素の燃焼を引き起こし得るか、または反応室における塩水含有溶液のＲＦ処理によって産生される水素もしくは任意の揮発した二次燃料のいずれかまたはその両方の燃焼を引き起こし得ると考えられる。
【００６８】
ブロック１９２２において、塩水の分解から産生される水素の燃焼から生成されたエネルギー（または、より一般的には、（ｉ）塩水の分解から産生された水素の燃焼、または（ｉｉ）塩水含有溶液に任意に存在し得る任意の二次燃料の揮発および燃焼、または（ｉｉｉ）その両方のいずれかから生成されたエネルギー）は、機械仕事を実行するためにピストンに伝送される。いずれの場合においても、水素または任意の二次燃料またはその両方のいずれかの燃焼は、蒸気を含む高温排ガスを生成する。これらの高温排出ガスは膨張し、それによって圧力の増加がもたらされる。ピストンのヘッドが、反応室にある出口に取り付けられ、またピストンの他方端がレバーアームに取り付けられることが想定される。膨張排ガスがピストンヘッドを押出すると、レバーアームが移動して、膨張排ガスの化学エネルギーが、機械エネルギーおよび機械仕事の実行に変換される。
【００６９】
上述の噴射ノズルおよび着火源とともにこのピストン配置を利用して、化学エネルギーを機械エネルギーに変換し、その後、要求に応じて機械仕事の実行に変換することが可能になることがさらに想定される。例えば、本方法は、内燃エンジンに電力供給するために、このような配置で使用され得る。適切なシステムとともに本方法をどのように利用し得るかに関する一例として、動作させるためのガソリンまたは他の非水溶性炭化水素燃料を必要とせずに、塩水もしくは種々の塩水含有溶液、または海から取った海水をさらに浄化することなく直接燃料とし得るエンジンを提供することが挙げられ得ることがさらに想定される。具体的には、このエンジンは、適切なサイズで、かつ自動車または他の形態のモータ付き車両に電力供給するために使用するように提供されることが想定される。
【００７０】
方法論は、ブロック１９２４で終了してもよく、また、所定の時間間隔の後、および／所望の量の水素産生および水素燃焼が達成したという判断に応答して終了してもよく、または代替的に、任意に存在する任意の二次燃料源の所望の量の揮発および燃焼が達成されたという判断に応じて終了してもよい。本方法は、１回もしくは繰り返して、または連続的に、または周期的に、または断続的に実行されてもよい。
【００７１】
（図２０）
図２０は、海水を脱塩するための高レベルの例示的方法論２０００を示す。
【００７２】
方法論は、ブロック２００２で開始する。ブロック２００４において、海水が提供される。任意の海からの海水または任意の濃度もしくは塩分の海水に関する任意の方式で十分であり得る。さらに、海水が、その天然発生形態の源から取り出され、任意のさらなる浄化または処理を必要とせずに直接使用され得ることが想定される。いくつかの海水源の例について後述する。また、ある量の海水は、要求に応じて反応室の充填に利用可能になるように、容器または貯蔵タンクに貯蔵され得ることも想定される。例えば、貯蔵タンクは、供給管によって反応室に接続され得る。このように、海水の供給は、供給管を介して貯蔵タンクから反応室へポンプで送られ、この供給管の一端は、貯蔵タンクに接続され、他方端は、反応室にある入口に接続される。
【００７３】
ブロック２００６において、ＲＦ伝送器が提供される。ＲＦ伝送器は、適切なＲＦ信号を生成する任意の種類のＲＦ伝送器であってもよい。ＲＦ伝送器は、可変周波数ＲＦ伝送器であってもよい。任意により、ＲＦ伝送器は、多重周波数ＲＦ信号を提供可能である多重周波数伝送器であってもよい。またさらに、任意により、ＲＦ伝送器は、変動振幅またはパルス振幅を有するＲＦ信号を伝送可能であってもよい。多種多様の異なる形状およびサイズの伝送ヘッドおよび受信ヘッドが提供されてもよい。
【００７４】
ブロック２００８において、伝送ヘッドが選択されてもよい。伝送ヘッドの選択は、提供されるＲＦ伝送器の種類に部分的に基づいてもよい。例えば、一般的な対象範囲または特定の処理対象範囲に関する深度、サイズ、および形状等の他の要因ならびに伝送周波数の数は、伝送ヘッドの選択を判断する際に使用されてもよい。
【００７５】
ブロック２０１０において、ＲＦ受信器が提供される。ＲＦ受信器は、ＲＦ伝送器の周波数に同調されてもよい。ブロック２０１２において、所望の受信器ヘッドが選択されてもよい。伝送ヘッドの選択と同様に、受信器ヘッドは、特定用途の所望の特徴に適合するように選択されてもよい。例えば、伝送ヘッドよりも大きい受信器ヘッドは、反応室の特定の範囲にＲＦ信号を集中させるように選択可能である（ヘッドが小さいと、ＲＦ加熱を促進するようにＲＦを集中させると以前は考えられていたが、大きい受信ヘッドの生成する温度のほうが高いことが発見された）。受信器ヘッドの種々のサイズおよび形状によって、海水におけるＲＦ信号の最適濃度が可能になる。
【００７６】
ブロック２０１４において、伝送ヘッドが配置される。伝送ヘッドの配置は、例えば、反応室に近接し、かつ反応室の一方の側面に伝送ヘッドを配置することによって達成される。ブロック２０１６において、受信器ヘッドが配置される。同様に、受信器ヘッドの配置は、例えば、反応室に近接して、かつ反応室の他方の側面に受信器ヘッドを配置することによって達成され、伝送ヘッドを介して受信器ヘッドに伝送されたＲＦ信号が、反応室を通過し、海水によって吸収されるようにする。伝送ヘッドおよび受信ヘッドは、反応室との直接接触から絶縁される。ヘッドは、空隙によって反応室から絶縁されてもよい。任意により、ヘッドは、別の絶縁材料によって対象範囲から絶縁されてもよい。
【００７７】
ブロック２０１８において、ＲＦ周波数が選択されてもよい。ブロック２０１８において所望のＲＦ周波数を選択するステップの他に、伝送時間または継続時間も選択されてもよい。継続時間は、例えば、特定の時間の長さに設定されるか、または海水の少なくとも一部分の温度を沸点に上昇するように設定される。さらに、任意により、例えば、振幅、パルス振幅、ＲＦ信号のオン／オフパルスレート、ＲＦ信号の周波数が設定期間に応じて、または設定温度、温度領域、もしくは温度変化に関連して変動する可変ＲＦ信号等のＲＦ信号の他の修正が、この時点で選択されてもよい。
【００７８】
ブロック２０２０において、ＲＦ信号は、伝送ヘッドから受信器ヘッドへ伝送される。ＲＦ信号は、反応室を通過し、反応室内に収容される海水によって吸収される。ＲＦエネルギーの吸収は、海水の加熱をもたらし、この加熱によって相変化が起こり、蒸気が産生する。産生された蒸気は、海水に元々存在していた任意の塩、鉱物、または任意の不揮発性不純物も含まない。
【００７９】
ブロック２０２２において、海水の沸点までの加熱によって産生された蒸気は、回収される。ブロック２０２４において、回収された蒸気は、凝縮されて純水を生成する。蒸気は、任意の手段によって回収されてもよい。蒸気を回収および凝縮するための手段の例として、蒸気等の高温ガスが上昇するという自然な傾向を利用することが挙げられ得る。例えば、一方の端が反応室の出口に取り付けられ、かつ反応室の真上に位置する排気管は、蒸気が産生されると、蒸気を反応室から導き得ることが想定される。排気管の他方端が、遠隔に配置されたタンクに取り付けられること、およびこのタンクが、凝縮器として機能し、タンクに入ると蒸気が冷却され、蒸気から水に相を変換することがさらに想定される。結果として、純水が、このような凝縮器タンクで凝縮および回収され得ると考えられる。任意により、凝縮器タンクは、蒸気の凝縮速度を促進するために、外部から冷却されてもよいことが想定される。
【００８０】
方法論は、ブロック２０２６で終了してもよく、また、所定の時間間隔の後、および／所望の量の蒸気産生および脱塩が達成したという判断に応答して終了してもよい。本方法は、１回もしくは繰り返して、または連続的に、または周期的に、または断続的に実行されてもよい。
【００８１】
（図２１）
図２１は、水の電気分解を実行する高レベルの例示的方法論２１００を示す。
【００８２】
方法論は、ブロック２１０２で開始する。ブロック２１０４において、塩水混合液が提供される。塩水混合液は、水および少なくとも１つの塩を含み、有効量の塩は水中に溶解される。塩は、水溶性であるべきであり、水素ガスおよび酸素ガスを効果的に生成するために、塩は、塩の対応する陽イオンの標準電極電位がＨ＋より低くなり、塩の対応する陰イオンの標準電極電位がＯＨ−より高くなるように選択されるべきである。これに関して有用な種々の塩およびその有効量に関するより詳細な説明については後述する。
【００８３】
ブロック２１０６において、ＲＦ伝送器が提供される。ＲＦ伝送器は、適切なＲＦ信号を生成する任意の種類のＲＦ伝送器であってもよい。ＲＦ伝送器は、可変周波数ＲＦ伝送器であってもよい。任意により、ＲＦ伝送器は、多重周波数ＲＦ信号を提供可能である多重周波数伝送器であってもよい。またさらに、任意により、ＲＦ伝送器は、変動振幅またはパルス振幅を有するＲＦ信号を伝送可能であってもよい。多種多様の異なる形状およびサイズの伝送ヘッドおよび受信ヘッドが提供されてもよい。
【００８４】
ブロック２１０８において、伝送ヘッドは選択されてもよい。伝送ヘッドの選択は、提供されるＲＦ伝送器の種類に部分的に基づいてもよい。例えば、一般的な対象範囲または特定の処理対象範囲に関する深度、サイズ、および形状等の他の要因ならびに伝送周波数の数は、伝送ヘッドの選択を判断する際に使用されてもよい。
【００８５】
ブロック２１１０において、ＲＦ受信器が提供される。ＲＦ受信器は、ＲＦ伝送器の周波数に同調されてもよい。ブロック２１１２において、所望の受信器ヘッドは選択されてもよい。伝送ヘッドの選択と同様に、受信器ヘッドは、特定用途の所望の特徴に適合するように選択されてもよい。例えば、伝送ヘッドよりも大きい受信器ヘッドは、反応室の特定の範囲にＲＦ信号を集中させるように選択可能である（ヘッドが小さいと、ＲＦ加熱を促進するようにＲＦを集中させると以前は考えられていたが、大きい受信ヘッドの生成する温度のほうが高いことが発見された）。受信器ヘッドの種々のサイズおよび形状によって、塩水混合液におけるＲＦ信号の最適濃度が可能になる。
【００８６】
ブロック２１１４において、伝送ヘッドが配置される。伝送ヘッドの配置は、例えば、反応室に近接し、かつ反応室の一方の側面に伝送ヘッドを配置することによって達成される。ブロック２１１６において、受信器ヘッドが配置される。同様に、受信器ヘッドの配置は、例えば、反応室に近接して、かつ反応室の他方の側面に受信器ヘッドを配置することによって達成され、伝送ヘッドを介して受信器ヘッドに伝送されたＲＦ信号が、反応室を通過し、塩水混合液によって吸収されるようにする。伝送ヘッドおよび受信ヘッドは、反応室との直接接触から絶縁される。ヘッドは、空隙によって反応室から絶縁されてもよい。任意により、ヘッドは、別の絶縁材料によって対象範囲から絶縁されてもよい。
【００８７】
ブロック２１１８において、ＲＦ周波数が選択されてもよい。ブロック２１１８において所望のＲＦ周波数を選択するステップの他に、伝送時間または継続時間も選択されてもよい。継続時間は、例えば、特定の時間の長さに設定されるか、または塩水混合液の少なくとも一部分の温度を所望の温度／温度領域に上昇するように設定されるか、または所望の温度変化に設定される。さらに、任意により、例えば、振幅、パルス振幅、ＲＦ信号のオン／オフパルスレート、ＲＦ信号の周波数が設定期間に応じて、または設定温度、温度領域、もしくは温度変化に関連して変動する可変ＲＦ信号等のＲＦ信号の他の修正が、この時点で選択されてもよい。
【００８８】
ブロック２１２０において、ＲＦ信号が、伝送ヘッドから受信器ヘッドへ伝送される。ＲＦ信号は、反応室を通過し、反応室内に収容される塩水混合液によって吸収される。ＲＦエネルギーの吸収は、塩水混合液の分解をもたらし、水素および酸素を産生する。
【００８９】
ブロック２１２２において、塩水混合液の分解によって産生された水素および酸素が回収される。塩水混合液の電気分解によって産生された水素および酸素を回収および分離するための手段は、当業者に既知である。このような手法には、相互に入れ子式の２つの真空ガス回収ベルを使用するステップが含まれてもよく、この場合、最深部のガス回収ベルへの開口部は、半透膜で被覆される。半透膜は、酸素ガスに対する透過性よりも、水素ガスに対する高い透過性を有する材料から作製されてもよい。これに関して、水素ガスおよび酸素ガスの混合が、一連の管および弁を使用して、相互に入れ子式の２つのガス回収ベルに指向され、水素ガスだけが、最深部のガス回収ベルを被覆する膜を効果的に通過可能であり得る。したがって、水素ガスは、最深部のガス回収ベルに集中させられ、一方、酸素ガスは、最外部のガス回収ベルに集中させられ得る。このように、水素ガスが、酸素ガスとは別に隔離および回収され得ると考えられる。
【００９０】
方法論は、ブロック２１２４で終了し、また、所定の時間間隔の後、および／所望の量の水素産生が達成したという判断に応答して終了してもよい。
【００９１】
（図２５）
図２５は、液体の燃焼を実行する高レベルの例示的方法論２５００を示す。方法論は、ブロック２５１０で開始する。ブロック２５１０において、ＲＦ信号を生成可能であるＲＦシステムが提供される。ＲＦシステムは、ＲＦ発生器、伝送器および、伝送ヘッドを含んでもよく、伝送ヘッドに近接する開放容器内の海水から着火性ガスを生成可能であるような上述の種類のものであってもよい。ブロック２５２０において、ＲＦ信号によって着火性ガスを生成するための、液体中に溶解される有効量の少なくとも１つのイオンを含む液体が提供される。ブロック２５３０において、ＲＦ信号は、液体の少なくとも一部と相互作用するように伝送される。ブロック２５４０において、ＲＦ信号によって液体から生成された着火性ガスが着火される。ブロック２５５０において、方法論は終了し、また、所定の時間間隔の後、および／液体の一部が燃焼したという判断に応答して終了してもよい。
【００９２】
（図２６）
図２６は、液体の燃焼を実行する高レベルの例示的方法論２６００を示す。方法論は、ブロック２６１０で開始する。ブロック２６１０において、ＲＦ信号を生成可能であるＲＦシステムが提供される。ＲＦシステムは、ＲＦ発生器、伝送器および、伝送ヘッドを含んでもよく、伝送ヘッドに近接する開放容器内の海水から着火性ガスを生成可能であるような上述の種類のものであってもよい。ブロック２６２０において、ＲＦ信号によって着火性ガスを生成するための、液体中に溶解される有効量の少なくとも１つのイオンを含む液体が提供される。ブロック２６３０において、ＲＦ信号は、伝送され、ブロック２６４０において、液体の一部が燃焼させられる。
【００９３】
追加の方法は、本明細書に記載のシステムを使用して想定され、この場合、ＲＦ信号の動作のための周波数は、種々のエネルギーレベルの種々のイオンのいずれか、例えば、塩水溶液中に溶解される塩を含む種々の金属種のいずれかを刺激または励起することが可能である特定のＲＦ周波数と、周波数が同一であるか、もしくは重複（部分的または完全に）するか、または同一もしくは重複する高調波を有するように選択されてもよい。当業者は、種々のエネルギーレベルの種々の金属種の刺激または励起するＲＦ周波数を判断および測定する方法を理解するだろう。これに関し、また、実証的検証に基づいて、１３．５６が、本明細書において検査された任意の他のイオンよりも優れてＮａイオンを刺激および／または励起すると考えられる。したがって、本明細書に記載の方法に関する有用な実施形態は、（ｉ）好適な周波数を有するＲＦ信号を選択するステップと、（ｉｉ）選択された好適な周波数（またはその高調波）によって刺激または励起可能な金属種を含む金属塩を選択するステップと、（ｉｉｉ）水溶液中に存在する金属種を刺激または励起して熱を生成するのに十分な時間、金属塩の水溶液を通って、またはその水溶液に、好適な周波数を有するＲＦ信号を伝送するステップも含んでもよい。代替的に、方法は、（ｉ）好適な金属種を含む塩を選択するステップと、（ｉｉ）好適な金属種を刺激または励起可能である周波数（またはその高調波）を有するＲＦ信号を選択するステップと、（ｉｉｉ）好適な金属種を含む金属塩の水溶液を通って、またはその水溶液に、周波数を有するＲＦ信号を熱の生成に十分な時間伝送するステップも含んでもよい。
【００９４】
追加の方法は、本明細書に記載のシステムを使用して想定され、この場合、ＲＦ信号を使用して、粘土および土壌を加熱および滅菌し、粘度および土壌から水素を直接生成するために、また、有機汚染物および有機廃棄物を除去または抽出することによって粘土または土壌を浄化するために、粘土および土壌を処理してもよい。上述のように、ＲＦ信号の動作のための周波数は、土壌内に溶解または分布している金属塩または金属化合物を含む任意の種々のエネルギーレベルの任意の種々の金属種を刺激または励起可能である特定のＲＦ周波数と、周波数（またはその高調波）が同一であるか、または重複（部分的または完全に）するように選択されてもよいことが想定される。土壌は、多くの場合、土壌および粘土に存在する水分または金属種を含有し、それらに配位結合した水分子を有することから、本明細書に記載のシステムおよび方法を使用して、このような金属含有土壌を加熱および処理してもよいと考えられる。したがって、ＲＦ信号を使用して（塩水溶液の処理について本明細書に記載した種々の方式のいずれかで）、種々の土壌内の原位置、具体的には、粘土および粘土含有土壌において、熱および／または蒸気および／または水素と酸素の遊離基を産生してもよいと考えられる。土壌に存在する水分子から産生された熱および／または蒸気および／または水素と酸素の遊離基は、周囲の土壌を処理し、具体的には、生成された熱および／または遊離基は、恐らく、土壌を滅菌し、存在し得る任意の生物、植物、または微生物も死滅させる。このように原位置で産生された蒸気を使用して、土壌および粘土に存在し得る任意の汚染炭化水素を揮発および抽出してもよいことがさらに想定される。したがって、汚染した商業地、住宅地、工業地の土壌、有害な廃棄物投棄場、ガソリンスタンド等は、本発明に記載のシステムおよび方法を使用して浄化され得ると想定される。当業者は、本明細書に記載のＲＦシステムおよび方法が、汚染土壌の原位置処理のための既知の抽出および浄化の処理および方法とどのように併用するかについて理解するだろう。抽出または除去され得る例示的炭化水素汚染物質には、有機溶媒、油および油副産物、殺虫剤、およびポリ塩化ビフェニルが含まれるがこれらに限定されない。同様に、クラスレート、ゼオライト、およびその構造のその表面に吸収される種々の金属種を含有または有し、存在する金属種と配位結合した水分または水分子を含有する他の材料が、土壌および粘土について本明細書に記載した類似の方式で処理および加熱されてもよいことが想定される。
【００９５】
前述の本発明のシステムおよび方法によると、表面および材料の選択的消毒が提供されるＲＦシステムを想定するさらなる実施形態が提供される。本システムは、ＲＦ発生器および伝送ヘッドを有するＲＦ伝送器と、共振回路および受信ヘッドを有するＲＦ受信器とを含む。伝送ヘッドおよび受信ヘッドが表面または材料に近接して、かつ表面または材料のいずれかの側面に配置され、ＲＦ信号が、伝送ヘッドから、表面または材料を通って、受信ヘッドへ伝送される場合、表面または材料の少なくとも一部分は、ヘッドが表面または材料に直接接触せずに消毒される。ＲＦ信号の動作のための周波数は、例えば、種々の対象の微生物、細菌、またはウイルス内に存在し得る、任意の種々のエネルギーレベルの種々の任意の金属種または金属塩または金属化合物を刺激または励起可能である特定のＲＦ周波数と、周波数（またはその高調波）が同一であるか、または重複（部分的または完全に）するように選択されてもよいことが想定される。微生物、細菌、およびウイルスが発見される環境は、多くの場合、水分を含有することから、本明細書に記載のシステムおよび方法を使用して、消毒される表面または材料に存在する種々の対象の微生物、細菌、およびウイルスを選択的に加熱および破滅することによって表面および材料を消毒してもよいことが想定される。ＲＦ信号は、選択された特定の周波数を有するＲＦ信号によって刺激または励起される金属（水分子に配位結合した金属、または水分を含有する環境における金属）を含有する任意の対象微生物、細菌、およびウイルスを局所的に加熱および破滅するのに十分な時間、印加されてもよい。
【００９６】
前述の本発明のシステムおよび方法によると、植物の発芽および成長における変化に影響を及ぼすためのＲＦシステムを想定するさらなる実施形態が提供される。本システムは、ＲＦ発生器および伝送ヘッドを有するＲＦ伝送器と、共振回路および受信ヘッドを有するＲＦ受信器とを含む。伝送ヘッドおよび受信ヘッドが種子または植物に近接して、かつ種子または植物のいずれかの側面に配置され、ＲＦ信号が、伝送ヘッドから、種子または植物を通って、受信ヘッドへ伝送される場合、種子または植物の少なくとも一部分は、ヘッドが種子または植物に直接接触せずに処理される。例えば、種子は、汽水環境に位置してもよく、または植物は、ブライン溶液によって水分が与えられていてもよく、塩濃度の高い内部環境の種子または植物を生成するために、浸透圧ポンプ機構等の自然な生物学的過程が利用され得る。本明細書に記載のシステムまたは方法のいずれかを使用して、このように準備された種子または植物をＲＦ信号に暴露してもよく、この場合、ＲＦ信号は、種子の発芽速度の変化に影響を及ぼし、または、植物の生長速度の変化に影響を及ぼし得ると考えられる。ＲＦ信号の動作のための周波数は、植物の発芽および成長におけるこのような変化に影響を及ぼすために、種子の発芽および植物の生長の速度を増減可能な特定のＲＦ周波数と、周波数（またはその高周波）が同一であるか、または重複（部分的または完全に）するように選択されてもよいと考えられる。
【００９７】
前述の本発明のシステムおよび方法によると、流体を処理するためのＲＦシステムおよび方法を想定するさらなる実施形態が提供される。流体を処理するステップは、流体を加熱するステップおよび／または燃焼するステップを含むがこれらに限定されない。本明細書に記載の有用な塩またはイオン（陽イオンまたは陰イオン）のいずれかを含有するか否かに関わらず、流体は処理可能である。これに関する例示的流体には、油井から抽出され、かつ油残留物および／または他の炭化水素汚染物質で汚染される水が含まれるがこれに限定されない。流体を処理するための方法（加熱するステップおよび／または燃焼するステップを含む）は、前述のシステムのいずれかを使用するステップ、ならびに（ｉ）処理する流体を提供するステップ（流体を加熱するステップおよび／または燃焼するステップを含む）、（ｉｉ）有効量の塩を流体に添加するステップ（例えば、固形塩を添加することによって、または塩溶液を添加することによって）、および（ｉｉｉ）有効量の塩を含有する流体にＲＦを通過させて流体を処理するステップを伴う。一般的に、有用なシステムは、ＲＦ発生器および伝送ヘッドを有するＲＦ伝送器と、共振回路および受信ヘッドを有するＲＦ受信器とを含む。伝送ヘッドおよび受信ヘッドが、有効量の塩が添加される流体に近接して、かつその流体のいずれかの側面に配置され、ＲＦ信号が、伝送ヘッドから、塩を含有する流体を通って、受信ヘッドへ伝送される場合、流体の少なくとも一部分が処理される。これに関して処理するステップは、流体を加熱するステップおよび／または流体を燃焼するステップを含んでもよく、このような状況において、塩は、流体の加熱を促進するために添加される。
【００９８】
（塩水、塩水溶液、および塩水混合液）
普通の海水および天然海水が使用されてもよい。一般的に、本明細書に記載のこれらのシステムおよび方法で用いられる塩水として、または塩水含有溶液において、または塩水混合液において有用である塩は、水中で溶解性を有する任意の塩を含む。例えば、ＮａＣｌは水中で非常に可溶性であるため、ＮａＣｌは有用な塩である。他の有用な塩は、Ｌｉ＋、Ｎａ＋、Ｋ＋、Ｒｂ＋、Ｃｓ＋、Ｂｅ２＋、Ｍｇ２＋、Ｃａ２＋、Ｂａ２＋、Ｓｒ２＋、Ｍｎ２＋、Ｆｅ２＋、Ｆｅ３＋、Ｎｉ２＋、Ｃｕ２＋、Ｚｎ２＋、Ａｇ＋、Ａｕ＋、Ｂ３＋、Ａｌ３＋、Ｇａ３＋、Ｉｎ３＋から成る群から選択され得る、陽イオン形態の任意の要素を陽イオンとして有する塩を含んでもよく、また、Ｃｌ−、Ｂｒ−、Ｉ−、ホウ酸塩、クエン酸塩、硝酸塩、リン酸塩、硫酸塩、炭酸塩、および水酸化物から成る群から選択される陰イオン形態の任意の要素を陰イオンとして有する塩を含んでもよい。本明細書に開示されるシステムおよび方法に使用される塩は、純塩、つまり１種類の陽イオンおよび１種類の陰イオンから生成される塩として使用可能であり、または上に列挙される陽イオンおよび陰イオンである１つ以上の種類の陽イオンおよび／または１つ以上の種類の陰イオンから生成される複数種類の塩から生成される塩混合液であることが可能である。前述のとおり、普通の海水よび天然海水を使用してもよい。
【００９９】
本明細書に記載のシステムおよび方法を使用するための別の有用な塩水（または塩水含有溶液もしくは塩水混合液の塩水成分）は、海水である。これは、任意の海から取り出した水または地球上にある他の天然の塩の塊を含む全ての種類の海水を含む。本明細書に開示される海水を使用するステップは、その天然形態の海水、つまり、海から取り出して、任意のさらなる処理または浄化をせずに直接使用される海水を使用するステップを含む。
【０１００】
本明細書に開示されるシステムおよび方法に使用するための別の有用な塩水または塩水溶液は、ブライン水である。ブライン水は、地下から抽出された水（地下水）であってもよく、また、井戸および油井から取り出される水を含む。本明細書に開示されるブライン水を使用するステップは、さらに処理または処置された（例えば、塩を添加する、例えば、塩または塩溶液を添加することによって）ブライン水、またはその天然形態であり、かつ任意のさらなる処理または浄化をせずに直接し使用されるブライン水を使用するステップを含む。
【０１０１】
ＯＣＥＡＮＩＣブランドのＮａｔｕｒａｌ  Ｓｅａ  Ｓａｌｔ  Ｍｉｘを使用して、有効量の塩を有し、かつ本明細書に論じられ図示されるシステムおよび方法に用いられる塩水または塩水含有溶液および塩水混合液の塩水成分として使用される天然海水に近似してもよい。天然海水のこのような近似は、比重計の読み取りとして、約１．０２ｇ／ｃｍ３から１．０３ｇ／ｃｍ３、例えば、約１．０２０〜１．０２４の間の比重または約２８ＰＰＴ〜３２ＰＰＴを有してもよい。約１．０２６ｇ／ｃｍ３（屈折計で測定される）の比重を有する上に示した海塩と水の混合液を、例示的システムおよび方法において使用した。代替的に、本明細書に論じられ図示されるシステムおよび方法に実際の海水を使用してもよいと考えられる。本明細書で使用および想定される塩水または塩水含有溶液および塩水混合液に塩成分おける精密な量の塩は、特定用途によって変動し得る。
【０１０２】
水素ガスおよび酸素ガスを生成するために、本明細書に開示される電気分解システムおよび電気分解方法を使用するために有用である塩水混合液を生成可能な塩は、水溶性の塩であるべきであり、陽イオンの標準電極電位がＨ＋より低くなり、陰イオンの標準電極電位がＯＨ−より高くなるように陽イオンおよび陰イオンは選択されるべきである。例えば、Ｌｉ＋、Ｒｂ＋、Ｋ＋、Ｃｓ＋、Ｂａ２＋、Ｓｒ２＋、Ｃａ２＋、Ｎａ＋、およびＭｇ２＋の陽イオンの標準電極電位は、Ｈ＋より低いため、電解質陽イオンとしての使用に適切である。例えば、有用な陰イオンは、標準電極電位がＯＨ−よりも高く、非常に酸化しにくいことから、ＳＯ４２−であってもよい。Ｎａ２ＳＯ４が、標準電極電位がＨ＋よりも低い陽イオン（Ｎａ＋）と、標準電極電位がＯＨ−よりも高い陰イオン（ＳＯ４２−）とから成る水溶性の塩であることから、本明細書に開示される電気分解システムおよび方法とともに使用する有用な塩であり得ることが想定される。
【０１０３】
（添加剤）
上に示したように、本明細書で使用する際、添加剤は、塩水ならびに塩水含有溶液および塩水混合液（海水または塩水含有溶液を含み、かつ少なくとも１つの二次燃料を任意に含有する）との溶解性、混和性、または相溶性を有し、かつＲＦエネルギーによる刺激に応じて塩水、種々の塩水含有溶液、および塩水混合液の反応を変更可能である有機化合物、有機金属化合物、または無機化合物であってもよい。分子種およびポリマー種の両方は、有用な添加剤として想定される。有用な量の添加剤が、塩水含有溶液中の少なくとも１つの微量成分として添加剤が存在する塩水含有溶液を含むとさらに考えられる。これに関して想定される実施形態は、約０．００１重量％から約１０．０重量％の添加剤、より好ましくは、約０．００１重量％から約１．０重量％の添加剤、さらにより好ましくは、約０．００１重量％から約０．１重量％の添加剤を有する塩水含有溶液を含んでもよい。
【０１０４】
添加剤を含有する塩水溶液または塩水混合液は、任意の添加剤を含有しない比較塩水溶液または塩水混合液とは異なってＲＦ刺激に応答することが想定される。塩水溶液または塩水混合液のＲＦエネルギーに対する反応は、多種多様の方式で変更され得ると考えられる。例えば、添加剤が有し得るＲＦ反応における変更は、添加剤を含有する溶液または混合液が、固定量または固定流束のＲＦエネルギーに暴露する際に、加熱、燃焼、またはその両方を行なう速度を増加または低下させるステップと、大量または少量のＲＦエネルギーに暴露して、添加剤を含有する塩水溶液の所望の温度変化または燃焼レベルを露呈するステップと、塩水溶液または混合液の燃焼が、塩水溶液の表面を外部から摂動することを必要とせずにＲＦ場の印加時に発生するように、添加剤を含有する塩水溶液の表面張力を低下させるステップとを含むがこれらに限定されない。石鹸および洗剤を含む界面活性剤は、水溶液の表面張力を低下させることが知られているため、これに関する有用な添加剤の実施形態である。さらに、水溶液の熱容量を低下可能であり、または水の凝固点を変更可能であり、または水との共沸混合液を形成可能な水溶性有機化合物が、これに関して有用な添加剤であり得ると考えられる。
【０１０５】
（二次燃料）
上に示したように、本明細書で使用する際に、二次燃料は、塩水または種々の塩水含有溶液または塩水混合液（少なくとも１つの添加剤を任意に含有する海水、塩水、または塩水含有溶液を含む）との溶解性、混和性、または相溶性を有する任意の可燃性有機化合物であってもよい。有用な量の二次燃料は、二次燃料が微量成分として存在する塩水含有溶液を含むと考えられる。代替的に、有用な量の二次燃料は、二次燃料が主成分として存在する塩含有溶液または塩水を含むとも考えられる。これに関し、約０．０１重量％から約９９．９９重量％の少なくとも１つの代替燃料、好ましくは、約１．０重量％から約９９．０重量％の少なくとも１つの代替燃料、より好ましくは、約１０重量％から約９０重量％の少なくとも１つの代替燃料、さらにより好ましくは、約３０重量％から約７０重量％の少なくとも１つの代替燃料、およびさらにより好ましくは、約４０重量％から約６０重量％の少なくとも１つの代替燃料を含有する塩水溶液に関する実施形態が想定される。
【０１０６】
二次燃料が微量成分である少なくとも１つの二次燃料を含有する塩水溶液のＲＦエネルギーへの暴露によって、任意の二次燃料を含有しない比較塩水溶液によって得られる結果に比べて、塩水溶液の可燃性に関する性能における促進または向上がもたらされ得ることが想定される。代替的に、二次燃料が混合液の主成分である少なくとも１つの二次燃料を含有する塩水溶液のＲＦエネルギーへの暴露によって、二次燃料自体がＲＦ不活性であっても、ＲＦエネルギーを二次燃料の燃焼に使用することが可能になることも想定される。理論により束縛されることを意図しないが、塩水溶液の塩水成分が、ＲＦ信号によって刺激されてエネルギーを吸収するため、二次燃料が、塩水溶液中の微量成分または主成分として有用であり得ると考えられる。したがって、塩水成分によるＲＦエネルギーの吸収によって、塩水溶液の温度が、任意の量で存在する二次燃料が揮発する点まで上昇し、火花、炎、または任意の他の着火源の存在下で燃焼する可能性が増える。これに関し、メタノール、エタノール、およびイソプロパノールは、可燃性有機溶媒であり、水溶性または水との化学相溶性を有するため、二次燃料として有用である。さらに、揮発性および水溶液との溶解性または混和性の両方を有し得る多くの追加の有機溶媒および化合物も、これに関して、二次燃料として有用であり得ると考えられる。例えば、ｎ−プロパノール、アセトン、ホルムアルデヒド、酢酸、およびギ酸も、有用な二次燃料であり得ることが想定される。
【０１０７】
（ＲＦ吸収促進剤）
塩水、塩水含有溶液、および塩水混合液は、ＲＦを使用してそのままで処理されてもよい。代替的に、ＲＦ吸収促進剤は、塩水におけるＲＦエネルギーの効果、例えば、加熱促進、燃焼促進、脱塩促進等を促進するために、ＲＦによる処理の前に、塩水、塩水含有溶液、および塩水混合液に添加されてもよいとも考えられる。ＲＦ吸収促進剤は、他の材料よりも実質的に上回って、ＲＦ電磁信号の１つ以上の周波数を吸収するＲＦ吸収材料から生成される粒子であってもよい。これにより、ＲＦ信号は、追加のＲＦ吸収促進剤を含有しない塩水（または塩水溶液もしくは塩水混合液）よりも実質的に上回って、ＲＦ吸収促進剤を含有する塩水（または任意の塩水含有溶液もしくは塩水混合液）を加熱することが可能になってもよい。
【０１０８】
例示的なＲＦ吸収促進剤は、銀、金、銅、マグネシウム、鉄、任意の他の金属、および／または磁性粒子、あるいは金、鉄、任意の他の金属、および／または磁性粒子の種々の組み合わせおよび置換等の導電性材料の粒子を含む。他のＲＦ吸収促進剤の例として、金属小管（水溶性の銀もしくは金のナノチューブまたは銀もしくは金のマイクロチューブ）、圧電性結晶（天然または合成）から作製される粒子、合成材料から作製される粒子、生物材料から作製される粒子、ロボット粒子、有機修飾シリカ（ＯＲＭＯＳＩＬ）ナノ粒子のような人工の応用材料から作製される粒子が挙げられる。有用であり得るさらに他のＲＦ吸収促進剤の例として、ＲＦ吸収炭素分子およびＲＦ吸収炭素化合物である、フラーレン（１２個の５角形面および異なる数の６角形面から作製される閉鎖中空芳香炭素化合物の種類のいずれか）、カーボンナノチューブ、１つ以上のグラフェン層を有する他の分子または化合物、および他のＲＦ吸収炭素分子および化合物、例えば、Ｃ６０（「バッキーボール」または「バックミンスターフラーレン」としても既知である）、Ｃ７０、Ｃ７６、Ｃ８４、バッキーチューブ（単層カーボンナノチューブ、ＳＷＮＴ）、多層カーボンナノチューブ（ＭＷＮＴ）、ならびに他のナノサイズまたはミクロサイズの炭素ケージ分子および化合物が挙げられる。このような炭素系粒子は、水溶性形態であってもよい。このような炭素系粒子は、それに一体型の金属原子（例えば、ニッケル原子）を有してもよく、これは、ＲＦエネルギーを吸収し、それに応答して加熱する能力に影響を及ぼし得る。前述の（および後述の）粒子のいずれかは、いわゆる「ナノ粒子」（ナノメートル、例えば、１ｎｍ〜１０００ｎｍで測定されるサイズの顕微鏡的粒子）のサイズを有しもよく、または「微粒子」（サイズが、マイクロメータ、例えば、１μｍ〜１０００μｍで測定されるサイズの顕微鏡的粒子）のサイズを有してもよい。
【０１０９】
さらに、ＲＦ吸収炭素分子およびＲＦ吸収炭素化合物は、ＲＦ吸収促進剤として加工され、非線形Ｉ〜Ｖ特徴（整流特徴）および／または静電容量を有する粒子にする。このような非線形Ｉ〜Ｖ特徴は、例えば、一部がドープされた（変調ドーピングによって）ナノチューブに起因し、材料は、ｐ型半導体特性でドープされた部分に隣接してｎ型半導体特性を提供し、一体型整流ｐｎ接合を有するナノチューブを形成する。代替的に、ナノチューブは、一体型のショットキー障壁で加工可能である。いずれの場合においても、少なくとも２つの導電性領域を有し、その間に整流領域を有するナノチューブを使用することが役立ち得る。したがって、ＲＦ吸収促進剤のＲＦ吸収粒子の整流回路は、非線形Ｉ〜Ｖ特徴を有するＲＦ吸収炭素分子およびＲＦ吸収炭素化合物から加工されてもよい。
【０１１０】
本明細書に記載のＲＦ吸収促進剤は、単独で使用されてもよく、または任意の粒子または本明細書に記載の粒子の事実上任意の組み合わせおよび／または置換で使用されてもよい。例えば、本明細書に記載の複数の異なるＲＦ吸収粒子を、本明細書に記載の種々の方法の反応速度論を同調する目的で、使用することが有益であってもよい。したがって、ＲＦ吸収促進剤の事実上任意の組み合わせまたは置換を、任意のＲＦ吸収粒子または本明細書に記載の粒子の事実上任意の組み合わせおよび／または置換で使用して、本明細書の教示に従って使用するためのＲＦ吸収促進剤を生成してもよい。
【０１１１】
本明細書に言及されるＲＦ吸収促進剤のうちのいくつかは、１３．５６ＭＨｚのＲＦ信号に適切であってもよく、例えば、銀ナノ粒子、金ナノ粒子、銅ナノ粒子、マグネシウムナノ粒子、本明細書に言及される金属硫酸塩のいずれかの水溶液、ならびにＲＦ吸収炭素分子およびＲＦ吸収炭素化合物が挙げられる。また、これらのＲＦ吸収粒子を使用するＲＦ吸収促進剤は、１３．５６ＭＨｚのおよそ第２または第３高調波の周波数を有する周波数等の、若干高い周波数で効果的であると期待される。
【０１１２】
（ＲＦ信号）
ＲＦ信号は、ＲＦ促進剤の選択されたパラメータに対応する周波数を有してもよく、例えば、１３．５６ＭＨｚ、２７．１２ＭＨｚ、９１５ＭＨｚ、１．２ＧＨｚが挙げられる。いくつかのＲＦ周波数は、産業設備、科学設備、および医療設備（ＩＳＭ）に割り当てられており、例えば、６．７８ＭＨｚ±１５．０ｋＨｚ、１３．５６ＭＨｚ±７．０ｋＨｚ、２７．１２ＭＨｚ±１６３．０ｋＨｚ、４０．６８ＭＨｚ±２０．０ｋＨｚ、９１５ＭＨｚ±１３．０ＭＨｚ、２４５０ＭＨｚ±５０．０ＭＨｚが挙げられ、連邦規制基準の第４７条第１８項を参照されたい。同じ桁のこれらのおよび他の周波数は、使用するＲＦ吸収粒子に依存して、本明細書に論じられるシステムおよび方法の事実上いずれかに使用されてもよい。例えば、約７００ＭＨｚ以下の基本周波数を有するＲＦ信号は、本明細書に記載のシステムおよび方法の多くに適切であり得る。ＲＦ帯域の高周波数（ＨＦ）帯域（３ＭＨｚ〜３０ＭＨｚ）における基本周波数を有するＲＦ信号は、本明細書に記載のシステムおよび方法の多くに適切であり得る。同様に、ＲＦ帯域の超高周波数（ＶＨＦ）帯域（３０ＭＨｚ〜３００ＭＨｚ）における基本周波数を有するＲＦ信号は、本明細書に記載のシステムおよび方法の多くに適切であり得る。当然ながら、任意の基本周波数におけるＲＦ信号は、周波数の基本周波数の倍数である高調波成分も有してもよい。また、任意の基本周波数におけるＲＦ信号または基本周波数の高調波であるこのような周期的倍数は、塩水溶液中に溶解される塩を含む任意の種々の電子エネルギーレベルの任意の種々の金属種を刺激または励起可能である特定のＲＦ周波数と、周波数が同一であるか、もしくは重複（部分的または完全に）するように選択されてもよい。例えば、実証的検証に基づいて、１３．５６ＭＨｚの周波数を有するＲＦ信号が、本明細書において検査された任意の他のイオンよりも優れてＮａイオンを刺激および／または励起すると考えられる。
【０１１３】
さらに、本明細書に記載の実施形態のいずれかにおいて使用されるＲＦ信号は、パルス変調ＦＭのＲＦ信号またはパルス固定周波数信号であってもよい。パルス信号は、比較的高いピーク電力レベル（例えば、１０００ワットで単位の「バースト」パルス、または約１０％から約２５％までの負荷サイクルを有する１０００ワットの信号）を可能にしてもよく、また、ＲＦ吸収促進剤粒子においてより高い局所温度を生成してもよい。このようなパルス信号は、種々の特徴のいずれかを有してもよい。例えば、ＲＦパルスは、方形波であってもよく、または正弦波であってもよく、または基線においてリンギング効果の延長を有する急な立ち上がり時間を有してもよく、または遅い立ち上がり時間および高速の減衰等を有してもよい。パルスＲＦ信号（および他の成形ＲＦ信号）は、約１ミリ秒以上のオーダーの時間の長さでより高くなる非常に局所的な温度を産生し得る。例えば、１秒未満、例えば、マイクロ秒のオーダー（例えば、３〜４マイクロ秒）の短い５キロワットのＲＦパルスは、所望の効果、例えば、塩水の燃焼、脱塩、加熱、水素ガスの生成等を達成するために十分に混合液の温度を上昇させるのに十分であり得る。
【０１１４】
本明細書において論じられるように、塩水（または任意の塩水含有溶液もしくは塩水混合液）に向けられるＲＦエネルギーは、非常に高い電界強度を有するＲＦエネルギーであってもよく、また、反応室の部分を介して結合され、結合ヘッドは、非常に高いＱ（例えば、約２５０以上のＱ）を有する。ＨＦまたはＶＨＦ  ＲＦエネルギー（例えば、２７．１２ＭＨｚ）のパルス等の、比較的高い電力を有するパルスＲＦ信号は、塩水等を迅速に加熱するのに効果的であり得る。
【０１１５】
（燃焼速度）
塩水は、６００ワットの１３．５６ＭＨｚのＲＦ信号を使用して、試験管において比較的急速に燃焼する。例えば、海水（天然または人工）は、最初に、試験管において１分間当たり約１ｍｌを燃焼し、その後、相当量の水が試験管から燃焼させられると、３０秒毎に約１ｍｌ燃焼する。場合により、塩が少ないと、塩が多い場合よりもよく燃焼する。例えば、９９．５％エタノールおよび０．５％塩溶液の混合液は、エタノールおよび塩溶液の５０／５０混合液よりも優れて（早く）燃焼する（以下の実施例参照）。別の例として、メキシコ湾からの海水は、１０ｍｌまたは１００ｍｌ試験管を使用して、約１０００ワットで９０秒毎に約２〜３ｍｌで燃焼し、海水の上面はＲＦ場であった。
【実施例】
【０１１６】
（比較例）
（シリーズ１：海水の実験）
海塩混合物から作製された塩水が、５３０号出願に記載されるＲＦシステムを使用して燃焼することが過去に実証されている。参照によりその全体の開示が本明細書に組み込まれる、名称が「ＦＩＥＬＤ  ＧＥＮＥＲＡＴＯＲ  ＦＯＲ  ＴＡＲＧＥＴＥＤ  ＣＥＬＬ  ＡＢＬＡＴＩＯＮ」である、２００７年５月１日に出願した米国仮特許出願第６０／９１５，３４５号（代理人整理番号３０２７４／０４０３６）（以下「３４５号出願」）の図４６〜図４９の結合回路を使用するＥＮＩ  ＲＦ発生器を使用して、海水が燃焼することが確認されており、６インチ銀被覆円形銅Ｔｘヘッド（単一の板）および９．５インチ銀被覆四角形銅Ｒｘヘッド（単一の板）を有する。
【０１１７】
塩水を燃焼するＲＦ場が、３４５号出願に論じられる場と実質的に同一であると考えられる（その明細書の最後の図５３を参照）。（海水が、５３０号出願に論じられる他のヘッド構成で燃焼することも考えられる。）
海水の燃焼に関し、以下の特徴を有するメキシコ湾からの水は、上述のＲＦシステムで急速に燃焼可能であった（燃焼する前に１０ｍｌのサンプルを分析した）。
【０１１８】
【表２】
2010509565.tif 000003
本例において、燃焼した海水は、燃焼していない海水とは異なり、これらの成分の大部分の濃度は増加したが、カルシウムの濃度は低下した。メキシコ湾からの上記水の２つの１０ｍｌサンプルは、各々が５ｍｌに減少するまで燃焼されてから混合されて、結果として生じる１０ｍｌの燃焼海水を分析して以下が明らかになった。
【０１１９】
【表３】
2010509565.tif 000004
白色の残留物が、塩水の燃焼後、試験管の内部に生成する。カルシウムは、その残留物の一部であり得る。
【０１２０】
上述のＲＦシステムを使用して、塩水は、燃焼し、ＨＣｌおよびＮａＣｌの溶液も同様に燃焼する。蒸留水は、ＲＦ場において沸騰するが、燃焼しない。追加の海塩混合物（例えば、ＯＣＥＡＮＩＣブランドのＮａｔｕｒａｌ  Ｓｅａ  Ｓａｌｔ  Ｍｉｘ）を海水に添加することによって、燃焼速度が増加する。海水のナトリウムを約３倍にするのに十分な海塩混合物を添加することによって、結果として生成する塩水混合液の燃焼速度が劇的に増加する。したがって、本明細書における方法は、燃焼前に追加のイオンを海水に添加する追加のステップを含むことによって修正されてもよい。
【０１２１】
塩水（ＯＣＥＡＮＩＣブランドのＮａｔｕｒａｌ  Ｓｅａ  Ｓａｌｔ  Ｍｉｘから生成される海水および／または塩水）は、約２５０ワットのＲＦワット数で、上述のＲＦシステムにおいて燃焼し始め、塩水は、着火後、より低いワット数、例えば、約２００ワットで燃焼し続ける。塩水は、温度が高くなると自然に燃焼し始めてもよく、またはある種類の着火器を必要としてもよい（例えば、ＲＦ場を通って落ちる塩水の滴であり、これは、ＲＦ場における他の塩水を燃焼および着火する）。さらに、場における塩水の表面上に延出するある種類の芯（例えば、ペーパータオル）は、ＲＦ場における塩水が自然着火する傾向を大幅に増加させる。試験管を縁まで塩水で充填し、次に、さらに数滴の塩水を添加することによって、着火が促進される。
【０１２２】
Ｔｘ板とＲｘ板との間が約５．５インチ離間し、試験管がＴｘ板の上部周辺においてＴｘから約２インチ離れて存在する配置を使用してＲＦを塩水に印加すると、塩水のＲＦエネルギーへの暴露によって産生された生成物が焼成した。ＲＦエネルギーに暴露された塩水の焼成生成物の温度は、ＴｈｅｒｍａＣＡＭ  ＱｕｉｃｋＶｉｅｗ第２．０版ソフトウェアを含むＦＬＩＲ  Ｓｙｓｔｅｍｓ社のＴｈｅｒｍａＣＡＭ  Ｐ６５温度計を使用して約１７００℃と測定され、この温度計は、最大１７００℃の温度を測定する（塩水はさらに高い温度で燃焼していると考えられる）。驚くことに、塩水の燃焼中、試験管における塩水温度は、比較的低い（例えば、４５℃未満）のままである。
【０１２３】
本説明により束縛されることを意図しないが、上述のＲＦシステムにより生成された特別なＲＦ場によって、塩水中の水素が酸素と分離し、次に、水素は、放出酸素および周囲の空気における酸素の存在下で焼成されると考えられる。
【０１２４】
塩水のＲＦ誘導燃焼からの熱は、熱を収集および使用する従来の方法のいずれか、例えば、熱交換器、スターリングエンジン、タービンシステム等において使用されてもよい。
【０１２５】
さらに、多数のＴｘヘッドおよびＲｘヘッドを１つ以上の周波数において使用してもよい。
【０１２６】
（シリーズ２：添加剤および二次燃料を含む塩水および溶液の実験）
後述のシリーズ２の実施例について、図１６の回路実装を使用して、例示的溶液を介してＲＦ信号を伝送し、種々の結果をもたらした。他に表示がない限り、全ての実施例について、最大約１０００ワットの可変電力出力のＥＮＩ  ＯＥＭ−１２Ｂ  ＲＦ発生器からの１３．５６ＭＨｚのＲＦ信号を、反応室に３０秒間印加し、これらの事例において、反応室は、ガラス試験管から成り（試験管の中に、種々の例示的に溶液が入れられた）、試験管は、試験管が伝送ヘッド（１つの板）および受信ヘッド（３つの板）の間に吊着されるように位置する支持アームに接続された。他に指示がない限り、種々の実施例を実行する際に使用する塩水溶液には、メキシコ湾の塩水、油井（ペンシルバニア州、エリーに位置する）から抽出されるブライン塩水、および約１．０２６ｇ／ｃｍ３の比重を有する３．５重量％のＯＣＥＡＮＩＣブランドのＮａｔｕｒａｌ  Ｓｅａ  Ｓａｌｔ  Ｍｉｘの原液が含まれる。エタノールを含有する全ての実施例について、変性されたＡｐｐｌｅ  Ｐｒｏｄｕｃｔｓ（登録商標）ブランドのエタノールを使用した。
【０１２７】
（塩水）
第１の１００ｍＬの塩水含有サンプルを試験管に入れ、次に、試験管を支持アームに取り付け、ＲＦ装置（上述）の伝送ヘッドおよび受信器ヘッド間に配置した。光ファイバ温度計を使用して塩水の温度を測定した。次に、約３００ワットにおける１３．５６ＭＨｚのＲＦ信号を約３０秒間印加し、その後、光ファイバ温度計を使用して温度を再び測定した。開始温度＝２４．０℃、終了温度＝２５．９℃。
【０１２８】
第２の１００ｍＬの塩水サンプルを試験管に入れ、次に、試験管を支持アームに取り付け、ＲＦ装置（上述）の伝送ヘッドおよび受信器ヘッド間に配置した。光ファイバ温度計を使用して塩水の温度を測定した。次に、約６００ワットで１３．５６ＭＨｚのＲＦ信号を印加し、ＲＦ信号を印加するとすぐに、普通鋼のネジ回しを試験管の口に接触して一時的に置くことによって、塩水の燃焼が開始した。ネジ回しを除去し、塩水の燃焼が続く約３０秒間ＲＦ信号を放置した。約３０秒後、ＲＦ信号を止めて、塩水の燃焼が終了した。次に、光ファイバ温度計を使用して、試験管の上部および試験管の底部の両方における塩水サンプルの温度を測定した。開始温度＝２０．５℃、終了温度（上部）＝６６．０℃、終了温度（底部）＝２８．０℃。
【０１２９】
第３の１００ｍＬの塩水サンプルを試験管に入れ、次に、試験管を支持アームに取り付け、ＲＦ装置（上述）の伝送ヘッドおよび受信器ヘッド間に配置した。しかしながら、ここで使用した塩水は、１ｍＬの塩水原液を含み、０．００３５％の塩水溶液にするために蒸留水で１００ｍｌにまで希釈された。次に、約６００ワットにおける１３．５６ＭＨｚのＲＦ信号を３０秒間印加し、その後、光ファイバ温度計を使用し温度を測定した。第２のサンプルの塩水とは違って、この第３のサンプルの塩水の燃焼は普通鋼のネジ回しを、試験管の口に接触して置くことによって開始されなかった。開始温度＝２６．６℃、終了温度＝７５．５℃。
【０１３０】
（塩水＋炭酸塩および／またはＣＯ２（「添加剤」として））
二酸化炭素は、添加剤として有用であり得、二酸化炭素を産生する他の添加剤も同様に有用であり得る。組み込まれる材料の写真９〜１１は、地下水（この場合、油井（ペンシルバニア州、エリーに位置する）から回収されたブライン水のサンプル）の燃焼を示し、一方、組み込まれた材料の写真１２は、メキシコ湾から入手したブライン水のサンプルの燃焼を示す。メキシコ湾から入手したブライン水が、ペンシルバニア州エリーに位置する油井から回収されたブライン水よりも非散発的に燃焼することを観測した。理論により束縛されることを意図しないが、メキシコ湾から回収されたブライン水に存在しない、ペンシルバニア州エリーに位置する油井から回収されたブライン水に存在する高レベルの炭酸塩が、ペンシルバニア州エリーに位置する油井から回収されたブライン水の可燃性に影響を及ぼすことが考えられる。さらに、ペンシルバニア州エリーに位置する油井から回収されたブライン水が、存在する炭酸塩を燃焼する際に、ＲＦ信号の印加時にブライン水のさらなる燃焼を抑制または制限する役割を果たす二酸化炭素がサンプルに放出されることが考えられる。ゆえに、追加の実施形態は、塩水燃焼の速度を制御または妨害するため、または全体の燃焼の量を制限するために、燃焼を抑制可能な添加剤または燃焼抑制剤である添加剤が、本明細書に開示される種々の塩水溶液のいずれかに添加され得ることを想定する。
【０１３１】
（塩水＋界面活性剤（「添加剤」として））
普通のハンドソープ（液体抗菌ハンドソープ）の１メトリックの滴（約０．０５ｍＬ）も含有する１００ｍＬの塩水サンプルを試験管に入れ、次に、試験管を支持アームに取り付け、ＲＦ装置（上述）の伝送ヘッドおよび受信器ヘッド間に配置した。次に、約６００ワットにおける１３．５６ＭＨｚのＲＦ信号をサンプルに印加し、ＲＦ信号を印加するとすぐに、塩水サンプルの燃焼が開始した。試験管の外部摂動（ネジ回し、塩水の滴、芯の使用、またはその他）は必要としなかった。ＲＦ信号は、繰り返しスイッチが切り替えられ、ＲＦ信号のスイッチがオンになる度に、塩水サンプルはすぐに燃焼し始め、ＲＦ信号のスイッチがオフになる度に、塩水サンプルはすぐに燃焼を終了した。
【０１３２】
（塩水＋エタノール（「二次燃料」として））
５０ｍＬのエタノールおよび５０ｍＬの塩水の混合液を含有する第１の１００ｍＬのサンプルを試験管に入れ、次に、試験管を支持アームに取り付け、ＲＦ装置（上述）の伝送ヘッドおよび受信器ヘッド間に配置した。次に、数百ワットにおける１３．５６ＭＨｚのＲＦ信号をサンプルに印加し、ＲＦ信号を印加するとすぐに、普通鋼のネジ回しを試験管の口に接触して一時的に置くことによって、サンプルの燃焼が開始した。ＲＦ信号が止められると、サンプルの燃焼は終了した。驚くことに、直火を使用して燃焼開始を試みても、印加されたＲＦ信号の非存在下では、サンプルの燃焼は開始しなかった。
【０１３３】
９９．５ｍＬのエタノールおよび０．５ｍＬの塩水の混合液を含有する１００ｍＬの第２のサンプルを試験管に入れ、次に、試験管を支持アームに取り付け、ＲＦ装置（上述）の伝送ヘッドおよび受信器ヘッド間に配置した。光ファイバ温度計を使用して塩水の温度を測定した。次に、数百ワットにおける１３．５６ＭＨｚのＲＦ信号を１５秒間印加し、その後、光ファイバ温度計を使用して再び温度を測定した。開始温度＝２６．６℃、終了温度＝６２．０℃。本実施例は、有効量の塩（例えば、固形塩または塩溶液）が、液体の加熱の促進のために添加可能であることを示す。
【０１３４】
９９．５ｍＬのエタノールおよび０．５ｍＬの塩水の混合液を含有する１００ｍＬの第３のサンプルを試験管に入れ、次に、試験管を支持アームに取り付け、ＲＦ装置（上述）の伝送ヘッドおよび受信器ヘッド間に配置した。光ファイバ温度計を使用して塩水の温度を測定した。次に、数百ワットにおける１３．５６ＭＨｚのＲＦ信号を印加し、ＲＦ信号を印加するとすぐに、普通鋼のネジ回しを試験管の口に接触して一時的に置くことによって、サンプルの燃焼が開始した。サンプルの燃焼は、非常に活発であり、エタノールを含有しない塩水の原液のＲＦ燃焼と比べて大きな炎をもたらした。ネジ回しを除去し、サンプルの活発な燃焼が続く約１５秒間ＲＦ信号を放置した。燃焼が非常に活発であったため、継続して燃焼した際に、サンプル溶液の一部は、試験管から研究室の床に泡となって溢れた。約１５秒後、ＲＦ信号を止めた。しかしながら、サンプルの燃焼は終了せず、サンプルは、消火器を使用して消火しなければならなかった。
【０１３５】
（対照１：蒸留水）
蒸留水を含有する１００ｍＬのサンプルを試験管に入れ、次に、試験管を支持アームに取り付け、ＲＦ装置（上述）の伝送ヘッドおよび受信器ヘッド間に配置した。光ファイバ温度計を使用して蒸留水の温度を測定した。次に、約３００ワットにおける１３．５６ＭＨｚのＲＦ信号を約３０秒間印加し、その後、光ファイバ温度計を使用して再び温度を測定した。開始温度＝２４．０℃、終了温度＝２４．８℃。
【０１３６】
（対照２：水道水）
普通の水道水を含有する１００ｍＬのサンプルを試験管に入れ、次に、試験管を支持アームに取り付け、ＲＦ装置（上述）の伝送ヘッドおよび受信器ヘッド間に配置した。光ファイバ温度計を使用して普通の水道水の温度を測定した。次に、約３００ワットにおける１３．５６ＭＨｚのＲＦ信号を約３０秒間印加し、その後、光ファイバ温度計を使用して再び温度を測定した。開始温度＝２３．７℃、終了温度＝４７．８℃。
【０１３７】
（対照３：１００％エタノール）
エタノールを含有する１００ｍＬのサンプルを試験管に入れ、次に、試験管を支持アームに取り付け、ＲＦ装置（上述）の伝送ヘッドおよび受信器ヘッド間に配置した。光ファイバ温度計を使用してエタノールの温度を測定した。次に、数百ワットにおける１３．５６ＭＨｚのＲＦ信号を約１５秒間印加し、その後、光ファイバ温度計を使用して再び温度を測定した。開始温度＝２５．０℃、終了温度＝３０．０℃。
【０１３８】
本発明について、その実施形態の説明によって例証し、実施形態について詳細に説明したが、添付の請求項の範囲をこのような詳細に制限または何らかにより限定することは、本出願者の意図ではない。追加の利点および修正は、当業者に容易に明らかになるであろう。例えば、本明細書に提示された種々のシステムおよび方法の全てにおいて、ＲＦ電磁信号は、液体が無くなるまで、または実質的に液体が無くなるまで、または時間を短くして、印加されてもよい。さらに、本明細書における方法のステップは、一般的に、任意の順番で実行されてもよいが、特定のステップを特定の順番で実行するように文脈が示す場合は除く。したがって、より広範な側面における本発明は、図示および説明される特定の詳細、代表的な装置および方法、ならびに説明例に限定されない。したがって、本出願者の一般的な発明概念の精神または範囲から逸脱することなく、このような詳細から逸脱してもよい。
【０１３９】
【表１】
2010509565.tif 000005
【図１】
2010509565.tif 000006
【図２】
2010509565.tif 000007
【図３】
2010509565.tif 000008
【図４】
2010509565.tif 000009
【図５】
2010509565.tif 000010
【図６】
2010509565.tif 000011
【図７】
2010509565.tif 000012
【図８Ａ】
2010509565.tif 000013
【図８Ｂ】
2010509565.tif 000014
【図８Ｃ】
2010509565.tif 000015
【図９Ａ】
2010509565.tif 000016
【図９Ｂ】
2010509565.tif 000017
【図９Ｃ】
2010509565.tif 000018
【図１０】
2010509565.tif 000019
【図１１】
2010509565.tif 000020
【図１２】
2010509565.tif 000021
【図１３】
2010509565.tif 000022
【図１４】
2010509565.tif 000023
【図１５】
2010509565.tif 000024
【図１６】
2010509565.tif 000025
【図１６ａ】
2010509565.tif 000026
【図１７】
2010509565.tif 000027
【図１８ａ】
2010509565.tif 000028
【図１８ｂ】
2010509565.tif 000029
【図１９ａ】
2010509565.tif 000030
【図１９ｂ】
2010509565.tif 000031
【図２０】
2010509565.tif 000032
【図２１】
2010509565.tif 000033
【図２２】
2010509565.tif 000034
【図２３】
2010509565.tif 000035
【図２４】
2010509565.tif 000036
【図２５】
2010509565.tif 000037
【図２６】
2010509565.tif 000038
【国際調査報告】
2010509565.tif 000039
2010509565.tif 000040
2010509565.tif 000041
2010509565.tif 000042
2010509565.tif 000043
2010509565.tif 000044
2010509565.tif 000045